(57)【特許請求の範囲】
【請求項１】
無線通信の方法であって、
時分割デュプレクス（ＴＤＤ）システムにおいて少なくとも３つのアクノレッジメント／否定的アクノレッジメント（ＡＣＫ／ＮＡＫ）ビットをサポートする、アップリンク制御フォーマットのコンフィギュレーションを受信することと、
特別なサブフレーム・コンフィギュレーションが、ダウンリンク・データ送信をサポートするか否かを判定することと、
前記判定に少なくとも部分的に基づいて、ＡＣＫ／ＮＡＫビットの数を割り当てることと、
前記ＡＣＫ／ＮＡＫビットの数に少なくとも部分的に基づいて、前記アップリンク制御フォーマットのために、ペイロード・サイズを決定することと、
前記割り当てに少なくとも部分的に基づいて、アップリンク・サブフレームでＡＣＫ／ＮＡＫ情報を送信することと、
を備える方法。
【請求項２】
前記割り当てることは、特定のキャリアの特別なサブフレーム・コンフィギュレーションがダウンリンク送信をサポートする場合に、前記特定のキャリアの特別なサブフレームのために、少なくとも１つのＡＣＫ／ＮＡＫビットを割り当てることを備える、請求項１に記載の方法。
【請求項３】
前記割り当てることは、前記特別なサブフレーム・コンフィギュレーションが、ダウンリンク送信をサポートしない場合に、特別なサブフレームに、ゼロのＡＣＫ／ＮＡＫビットを割り当てることをさらに備える、請求項１に記載の方法。
【請求項４】
前記ＡＣＫ／ＮＡＫ情報は、単一のキャリア・コンフィギュレーションにおいて、前記アップリンク・サブフレームに関連付けられた少なくとも１つのダウンリンク・サブフレームのためのフィードバックを提供する、請求項１に記載の方法。
【請求項５】
前記ＡＣＫ／ＮＡＫ情報は、一次成分キャリアの少なくとも１つのダウンリンク・サブフレームと、二次成分キャリアの少なくとも１つのダウンリンク・サブフレームとのフィードバックを提供する、請求項１に記載の方法。
【請求項６】
前記ＡＣＫ／ＮＡＫ情報は、一次キャリアにおけるアップリンク制御チャネルにおけるアップリンク送信を備える、請求項５に記載の方法。
【請求項７】
前記判定することと前記割り当てることとはおのおの、一次成分キャリアおよび二次成分キャリアについて実行される、請求項５に記載の方法。
【請求項８】
前記ＡＣＫ／ＮＡＫ情報は、アップリンク制御チャネルにおけるアップリンク送信を備える、請求項１に記載の方法。
【請求項９】
前記ＡＣＫ／ＮＡＫ情報は、アップリンク・データ・チャネルにおけるアップリンク送信を備える、請求項１に記載の方法。
【請求項１０】
アップリンク制御情報は、ＤＦＴ−Ｓ−ＯＦＤＭ（離散フーリエ変換拡散直交周波数分割多重）としてフォーマットされ、
ＤＦＴ−Ｓ−ＯＦＤＭフォーマットの符号化は、ユーザ機器のために構成されたすべての成分キャリアのＡＣＫ／ＮＡＫビットの総数に少なくとも部分的に基づく、請求項１に記載の方法。
【請求項１１】
前記符号化はさらに、ＰＵＣＣＨ（物理アップリンク制御チャネル）を送信するアップリンク・サブフレームに関連付けられたダウンリンク・サブフレームの数に依存する、請求項１０に記載の方法。
【請求項１２】
前記割り当てられたＡＣＫ／ＮＡＫビットの数に部分的に基づいて、ＰＵＣＣＨ（物理アップリンク制御チャネル）の送信電力を決定すること、をさらに備える請求項１０に記載の方法。
【請求項１３】
無線通信のための装置であって、
時分割デュプレクス（ＴＤＤ）システムにおいて少なくとも３つのアクノレッジメント／否定的アクノレッジメント（ＡＣＫ／ＮＡＫ）ビットをサポートする、アップリンク制御フォーマットのコンフィギュレーションを受信する手段と、
特別なサブフレーム・コンフィギュレーションが、ダウンリンク・データ送信をサポートするか否かを判定する手段と、
前記判定に少なくとも部分的に基づいて、ＡＣＫ／ＮＡＫビットの数を割り当てる手段と、
前記ＡＣＫ／ＮＡＫビットの数に少なくとも部分的に基づいて、前記アップリンク制御フォーマットのために、ペイロード・サイズを決定する手段と、
前記割り当てに少なくとも部分的に基づいて、アップリンク・サブフレームでＡＣＫ／ＮＡＫ情報を送信する手段と、
を備える装置。
【請求項１４】
コンピュータ読取可能な記憶媒体であって、
時分割デュプレクス（ＴＤＤ）システムにおいて少なくとも３つのアクノレッジメント／否定的アクノレッジメント（ＡＣＫ／ＮＡＫ）ビットをサポートする、アップリンク制御フォーマットのコンフィギュレーションを受信するためのプログラム・コードと、
特別なサブフレーム・コンフィギュレーションが、ダウンリンク・データ送信をサポートするか否かを判定するためのプログラム・コードと、
前記判定に少なくとも部分的に基づいて、ＡＣＫ／ＮＡＫビットの数を割り当てるためのプログラム・コードと、
前記ＡＣＫ／ＮＡＫビットの数に少なくとも部分的に基づいて、前記アップリンク制御フォーマットのために、ペイロード・サイズを決定するためのプログラム・コードと、
前記割り当てに少なくとも部分的に基づいて、アップリンク・サブフレームでＡＣＫ／ＮＡＫ情報を送信するためのプログラム・コードと
を備える、コンピュータ読取可能な記憶媒体。
【請求項１５】
無線通信のための装置であって、
メモリと、
前記メモリに接続された少なくとも１つのプロセッサとを備え、
前記少なくとも１つのプロセッサは、
時分割デュプレクス（ＴＤＤ）システムにおいて少なくとも３つのアクノレッジメント／否定的アクノレッジメント（ＡＣＫ／ＮＡＫ）ビットをサポートする、アップリンク制御フォーマットのコンフィギュレーションを受信し、
特別なサブフレーム・コンフィギュレーションが、ダウンリンク・データ送信をサポートするか否かを判定し、
前記判定に少なくとも部分的に基づいて、ＡＣＫ／ＮＡＫビットの数を割り当て、
前記ＡＣＫ／ＮＡＫビットの数に少なくとも部分的に基づいて、前記アップリンク制御フォーマットのために、ペイロード・サイズを決定し、
前記割り当てに少なくとも部分的に基づいて、アップリンク・サブフレームでＡＣＫ／ＮＡＫ情報を送信するように構成された、装置。
【請求項１６】
前記少なくとも１つのプロセッサはさらに、特定のキャリアの特別なサブフレーム・コンフィギュレーションがダウンリンク送信をサポートする場合に、前記特定のキャリアの特別なサブフレームのために、少なくとも１つのＡＣＫ／ＮＡＫビットを割り当てるように構成された、請求項１５に記載の装置。
【請求項１７】
前記少なくとも１つのプロセッサはさらに、前記特別なサブフレーム・コンフィギュレーションが、ダウンリンク送信をサポートしない場合に、特別なサブフレームに、ゼロのＡＣＫ／ＮＡＫビットを割り当てるように構成された、請求項１５に記載の装置。
【請求項１８】
前記ＡＣＫ／ＮＡＫ情報は、単一のキャリア・コンフィギュレーションにおいて、前記アップリンク・サブフレームに関連付けられた少なくとも１つのダウンリンク・サブフレームのためのフィードバックを提供する、請求項１５に記載の装置。
【請求項１９】
前記ＡＣＫ／ＮＡＫ情報は、一次成分キャリアの少なくとも１つのダウンリンク・サブフレームと、二次成分キャリアの少なくとも１つのダウンリンク・サブフレームとのフィードバックを提供する、請求項１５に記載の装置。
【請求項２０】
前記ＡＣＫ／ＮＡＫ情報は、一次キャリアにおけるアップリンク制御チャネルにおいてアップリンク送信を備える、請求項１９に記載の装置。
【請求項２１】
前記判定することと前記割り当てることとはおのおの、一次成分キャリアおよび二次成分キャリアについて実行される、請求項１９に記載の装置。
【請求項２２】
前記ＡＣＫ／ＮＡＫ情報は、アップリンク制御チャネルにおけるアップリンク送信を備える、請求項１５に記載の装置。
【請求項２３】
前記ＡＣＫ／ＮＡＫ情報は、アップリンク・データ・チャネルにおけるアップリンク送信を備える、請求項１５に記載の装置。
【請求項２４】
アップリンク制御情報は、ＤＦＴ−Ｓ−ＯＦＤＭ（離散フーリエ変換拡散直交周波数分割多重）としてフォーマットされ、
ＤＦＴ−Ｓ−ＯＦＤＭフォーマットの符号化は、ユーザ機器のために構成されたすべての成分キャリアのＡＣＫ／ＮＡＫビットの総数に少なくとも部分的に基づく、請求項１５に記載の装置。
【請求項２５】
前記符号化はさらに、ＰＵＣＣＨ（物理アップリンク制御チャネル）を送信するアップリンク・サブフレームに関連付けられたダウンリンク・サブフレームの数に依存する、請求項２４に記載の装置。
【請求項２６】
前記割り当てられたＡＣＫ／ＮＡＫビットの数に部分的に基づいて、ＰＵＣＣＨ（物理アップリンク制御チャネル）の送信電力を決定することをさらに備える、請求項２４に記載の装置。
【請求項２７】
無線通信の方法であって、
時分割デュプレクス（ＴＤＤ）システムにおいて少なくとも３つのアクノレッジメント／否定的アクノレッジメント（ＡＣＫ／ＮＡＫ）ビットをサポートする、アップリンク制御フォーマットのコンフィギュレーションを送信すること、
特別なサブフレーム・コンフィギュレーションが、ダウンリンク・データ送信をサポートするか否かを判定することと、
前記判定に少なくとも部分的に基づいて、ＡＣＫ／ＮＡＫビットの数を割り当てることと、
前記ＡＣＫ／ＮＡＫビットの数に少なくとも部分的に基づいて、前記アップリンク制御フォーマットのために、ペイロード・サイズを決定することと、
前記割り当てに少なくとも部分的に基づいて、アップリンク・サブフレームでＡＣＫ／ＮＡＫ情報を受信することと、
を備える方法。
【請求項２８】
前記割り当てることは、特定のキャリアの特別なサブフレーム・コンフィギュレーションがダウンリンク送信をサポートする場合に、前記特定のキャリアの特別なサブフレームのために、少なくとも１つのＡＣＫ／ＮＡＫビットを割り当てることを備える、請求項２７に記載の方法。
【請求項２９】
前記割り当てることは、前記特別なサブフレーム・コンフィギュレーションが、ダウンリンク送信をサポートしない場合に、特別なサブフレームに、ゼロのＡＣＫ／ＮＡＫビットを割り当てることをさらに備える、請求項２７に記載の方法。
【請求項３０】
前記ＡＣＫ／ＮＡＫ情報は、単一のキャリア・コンフィギュレーションにおいて、前記アップリンク・サブフレームに関連付けられた少なくとも１つのダウンリンク・サブフレームのためのフィードバックを提供する、請求項２７に記載の方法。
【請求項３１】
前記ＡＣＫ／ＮＡＫ情報は、一次成分キャリアの少なくとも１つのダウンリンク・サブフレームと、二次成分キャリアの少なくとも１つのダウンリンク・サブフレームとのフィードバックを提供する、請求項２７に記載の方法。
【請求項３２】
前記ＡＣＫ／ＮＡＫ情報は、一次キャリアにおけるアップリンク制御チャネルにおいてアップリンク送信を備える、請求項３１に記載の方法。
【請求項３３】
前記判定することと前記割り当てることとはおのおの、一次成分キャリアおよび二次成分キャリアについて実行される、請求項３１に記載の方法。
【請求項３４】
前記ＡＣＫ／ＮＡＫ情報は、アップリンク制御チャネルにおけるアップリンク送信を備える、請求項２７に記載の方法。
【請求項３５】
前記ＡＣＫ／ＮＡＫ情報は、アップリンク・データ・チャネルにおけるアップリンク送信を備える、請求項２７に記載の方法。
【請求項３６】
アップリンク制御情報は、ＤＦＴ−Ｓ−ＯＦＤＭ（離散フーリエ変換拡散直交周波数分割多重）としてフォーマットされ、
ＤＦＴ−Ｓ−ＯＦＤＭフォーマットの符号化は、ユーザ機器のために構成されたすべての成分キャリアのＡＣＫ／ＮＡＫビットの総数に少なくとも部分的に基づく、請求項２７に記載の方法。
【請求項３７】
前記符号化はさらに、ＰＵＣＣＨ（物理アップリンク制御チャネル）を送信するアップリンク・サブフレームに関連付けられたダウンリンク・サブフレームの数に依存する、請求項３６に記載の方法。
【請求項３８】
前記割り当てられたＡＣＫ／ＮＡＫビットの数に部分的に基づいて、ＰＵＣＣＨ（物理アップリンク制御チャネル）の送信電力を決定すること、をさらに備える請求項３６に記載の方法。
【請求項３９】
無線通信のための装置であって、
時分割デュプレクス（ＴＤＤ）システムにおいて少なくとも３つのアクノレッジメント／否定的アクノレッジメント（ＡＣＫ／ＮＡＫ）ビットをサポートする、アップリンク制御フォーマットのコンフィギュレーションを送信する手段と、
特別なサブフレーム・コンフィギュレーションが、ダウンリンク・データ送信をサポートするか否かを判定する手段と、
前記判定に少なくとも部分的に基づいて、ＡＣＫ／ＮＡＫビットの数を割り当てる手段と、
前記ＡＣＫ／ＮＡＫビットの数に少なくとも部分的に基づいて、前記アップリンク制御フォーマットのために、ペイロード・サイズを決定する手段と、
前記割り当てに少なくとも部分的に基づいて、アップリンク・サブフレームでＡＣＫ／ＮＡＫ情報を受信する手段と、
を備える装置。
【請求項４０】
コンピュータ読取可能な記憶媒体であって、
時分割デュプレクス（ＴＤＤ）システムにおいて少なくとも３つのアクノレッジメント／否定的アクノレッジメント（ＡＣＫ／ＮＡＫ）ビットをサポートする、アップリンク制御フォーマットのコンフィギュレーションを送信するためのプログラム・コードと、
特別なサブフレーム・コンフィギュレーションが、ダウンリンク・データ送信をサポートするか否かを判定するためのプログラム・コードと、
前記判定に少なくとも部分的に基づいて、ＡＣＫ／ＮＡＫビットの数を割り当てるためのプログラム・コードと、
前記ＡＣＫ／ＮＡＫビットの数に少なくとも部分的に基づいて、前記アップリンク制御フォーマットのために、ペイロード・サイズを決定するためのプログラム・コードと、
前記割り当てに少なくとも部分的に基づいて、アップリンク・サブフレームでＡＣＫ／ＮＡＫ情報を受信するためのプログラム・コードと
を備える、コンピュータ読取可能な記憶媒体。
【請求項４１】
無線通信のための装置であって、
メモリと、
前記メモリに接続された少なくとも１つのプロセッサとを備え、
前記少なくとも１つのプロセッサは、
時分割デュプレクス（ＴＤＤ）システムにおいて少なくとも３つのアクノレッジメント／否定的アクノレッジメント（ＡＣＫ／ＮＡＫ）ビットをサポートする、アップリンク制御フォーマットのコンフィギュレーションを送信し、
特別なサブフレーム・コンフィギュレーションが、ダウンリンク・データ送信をサポートするか否かを判定し、
前記判定に少なくとも部分的に基づいて、ＡＣＫ／ＮＡＫビットの数を割り当て、
前記ＡＣＫ／ＮＡＫビットの数に少なくとも部分的に基づいて、前記アップリンク制御フォーマットのために、ペイロード・サイズを決定し、
前記割り当てに少なくとも部分的に基づいて、アップリンク・サブフレームでＡＣＫ／ＮＡＫ情報を受信するように構成された、装置。
【請求項４２】
前記少なくとも１つのプロセッサはさらに、特定のキャリアの特別なサブフレーム・コンフィギュレーションがダウンリンク送信をサポートする場合に、前記特定のキャリアの特別なサブフレームのために、少なくとも１つのＡＣＫ／ＮＡＫビットを割り当てるように構成された、請求項４１に記載の装置。
【請求項４３】
前記少なくとも１つのプロセッサはさらに、前記特別なサブフレーム・コンフィギュレーションが、ダウンリンク送信をサポートしない場合に、特別なサブフレームに、ゼロのＡＣＫ／ＮＡＫビットを割り当てるように構成された、請求項４１に記載の装置。
【請求項４４】
前記ＡＣＫ／ＮＡＫ情報は、単一のキャリア・コンフィギュレーションにおいて、前記アップリンク・サブフレームに関連付けられた少なくとも１つのダウンリンク・サブフレームのためのフィードバックを提供する、請求項４１に記載の装置。
【請求項４５】
前記ＡＣＫ／ＮＡＫ情報は、一次成分キャリアの少なくとも１つのダウンリンク・サブフレームと、二次成分キャリアの少なくとも１つのダウンリンク・サブフレームとのフィードバックを提供する、請求項４１に記載の装置。
【請求項４６】
前記ＡＣＫ／ＮＡＫ情報は、一次キャリアにおけるアップリンク制御チャネルにおいてアップリンク送信を備える、請求項４５に記載の装置。
【請求項４７】
前記判定することと前記割り当てることとはおのおの、一次成分キャリアおよび二次成分キャリアについて実行される、請求項４５に記載の装置。
【請求項４８】
前記ＡＣＫ／ＮＡＫ情報は、アップリンク制御チャネルにおけるアップリンク送信を備える、請求項４１に記載の装置。
【請求項４９】
前記ＡＣＫ／ＮＡＫ情報は、アップリンク・データ・チャネルにおけるアップリンク送信を備える、請求項４１に記載の装置。
【請求項５０】
アップリンク制御情報は、ＤＦＴ−Ｓ−ＯＦＤＭ（離散フーリエ変換拡散直交周波数分割多重）としてフォーマットされ、ＤＦＴ−Ｓ−ＯＦＤＭフォーマットの符号化は、ユーザ機器のために構成されたすべての成分キャリアのＡＣＫ／ＮＡＫビットの総数に少なくとも部分的に基づく、請求項４１に記載の装置。
【請求項５１】
前記符号化はさらに、ＰＵＣＣＨ（物理アップリンク制御チャネル）を送信するアップリンク・サブフレームに関連付けられたダウンリンク・サブフレームの数に依存する、請求項５０に記載の装置。
【請求項５２】
前記割り当てられたＡＣＫ／ＮＡＫビットの数に部分的に基づいて、ＰＵＣＣＨ（物理アップリンク制御チャネル）の送信電力を決定すること、をさらに備える請求項５０に記載の装置。
【発明の詳細な説明】
【関連出願に対する相互参照】
【０００１】
本願は、ＣＨＥＮの名の下に２０１１年１１月９日に出願されたＴＤＤのための改善されたアクノレッジメント／否定的アクノレッジメント・フィードバック（IMPROVED ACKNOWLEDGEMENT / NEGATIVE ACKNOWLEDGEMENT FEEDBACK FOR TDD）と題された米国特許出願１３／２９３，０８６号と、ＣＨＥＮの名の下に２０１０年１１月１２日に出願されたＴＤＤのための改善されたアクノレッジメント／否定的アクノレッジメント・フィードバック（IMPROVED ACKNOWLEDGEMENT / NEGATIVE ACKNOWLEDGEMENT FEEDBACK FOR TDD）と題された米国特許出願６１／４１３，３４１号とに対する３５Ｕ．Ｓ．Ｃ．§１１９（ｅ）の下の利益を要求する。これらの開示は、全体が本明細書において参照によって明確に組み込まれている。
【技術分野】
【０００２】
本開示の態様は、一般に、無線通信システムに関し、さらに詳しくは、ＬＴＥ−Ａキャリア・アグリゲーション（ＣＡ）における時分割デュプレクス（ＴＤＤ）動作のための改善されたアクノレッジメント／否定的アクノレッジメント・フィードバックに関する。
【背景技術】
【０００３】
無線通信ネットワークは、例えば音声、ビデオ、パケット・データ、メッセージング、ブロードキャスト等のようなさまざまな通信サービスを提供するために広く開発された。これら無線ネットワークは、利用可能なネットワーク・リソースを共有することにより、複数のユーザをサポートすることができる多元接続ネットワークでありうる。無線通信ネットワークは、多くのユーザ機器（ＵＥ）のための通信をサポートしうる多くの基地局を含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。
【０００４】
基地局は、ダウンリンクでＵＥへデータおよび制御情報を送信し、および／または、アップリンクでＵＥからデータおよび制御情報を受信しうる。ダウンリンクでは、基地局からの送信が、近隣の基地局からの、または、その他の無線ラジオ周波数（ＲＦ）送信機からの送信による干渉と遭遇しうる。アップリンクでは、ＵＥからの送信が、近隣の基地局と通信する別のＵＥのアップリンク送信からの、または、別の無線ＲＦ送信機からの干渉と遭遇しうる。この干渉は、ダウンリンクとアップリンクとの両方のパフォーマンスを低下させうる。
【発明の概要】
【０００５】
無線通信の方法が提案される。この方法は、時分割デュプレクス（ＴＤＤ）システムにおいて少なくとも３つのアクノレッジメント／否定的アクノレッジメント（ＡＣＫ／ＮＡＫ）ビットをサポートする、アップリンク制御フォーマットのコンフィギュレーションを受信すること、を含む。この方法はまた、特別なサブフレーム・コンフィギュレーションが、ダウンリンク・データ送信をサポートするか否かを判定すること、を含む。この方法はさらに、この判定に少なくとも部分的に基づいて、ＡＣＫ／ＮＡＫビットの数を割り当てること、を含む。この方法はさらに、この割り当てに少なくとも部分的に基づいて、アップリンク・サブフレームでＡＣＫ／ＮＡＫ情報を送信すること、を含む。
【０００６】
無線通信のための装置が提案される。この装置は、時分割デュプレクス（ＴＤＤ）システムにおいて少なくとも３つのアクノレッジメント／否定的アクノレッジメント（ＡＣＫ／ＮＡＫ）ビットをサポートする、アップリンク制御フォーマットのコンフィギュレーションを受信する手段、を含む。この装置はまた、特別なサブフレーム・コンフィギュレーションが、ダウンリンク・データ送信をサポートするか否かを判定する手段、を含む。この装置はさらに、この判定に少なくとも部分的に基づいて、ＡＣＫ／ＮＡＫビットの数を割り当てる手段、を含む。この装置はさらに、この割り当てに少なくとも部分的に基づいて、アップリンク・サブフレームでＡＣＫ／ＮＡＫ情報を送信する手段、を含む。
【０００７】
無線ネットワークにおける無線通信のためのコンピュータ・プログラム製品が提案される。このコンピュータ・プログラム製品は、記録された非一時的なプログラム・コードを有する非一時的なコンピュータ読取可能な媒体を含む。この非一時的なプログラム・コードは、時分割デュプレクス（ＴＤＤ）システムにおいて少なくとも３つのアクノレッジメント／否定的アクノレッジメント（ＡＣＫ／ＮＡＫ）ビットをサポートする、アップリンク制御フォーマットのコンフィギュレーションを受信するためのプログラム・コード、を含む。この非一時的なプログラム・コードはまた、特別なサブフレーム・コンフィギュレーションが、ダウンリンク・データ送信をサポートするか否かを判定するためのプログラム・コード、を含む。この非一時的なプログラム・コードはさらに、この判定に少なくとも部分的に基づいて、ＡＣＫ／ＮＡＫビットの数を割り当てるためのプログラム・コード、を含む。この非一時的なプログラム・コードはさらにまた、この割り当てに少なくとも部分的に基づいて、アップリンク・サブフレームでＡＣＫ／ＮＡＫ情報を送信するためのプログラム・コード、を含む。
【０００８】
無線通信のための装置が提案される。この装置は、メモリと、このメモリに接続されたプロセッサ（単数または複数）とを含む。プロセッサ（単数または複数）は、時分割デュプレクス（ＴＤＤ）システムにおいて少なくとも３つのアクノレッジメント／否定的アクノレッジメント（ＡＣＫ／ＮＡＫ）ビットをサポートする、アップリンク制御フォーマットのコンフィギュレーションを受信するように構成される。プロセッサ（単数または複数）はまた、特別なサブフレーム・コンフィギュレーションが、ダウンリンク・データ送信をサポートするか否かを判定するように構成される。このプロセッサ（単数または複数）はさらに、この判定に少なくとも部分的に基づいて、ＡＣＫ／ＮＡＫビットの数を割り当てるように構成される。このプロセッサ（単数または複数）はさらに、この割り当てに少なくとも部分的に基づいて、アップリンク・サブフレームでＡＣＫ／ＮＡＫ情報を送信するように構成される。
【０００９】
無線通信の方法が提案される。この方法は、時分割デュプレクス（ＴＤＤ）システムにおいて少なくとも３つのアクノレッジメント／否定的アクノレッジメント（ＡＣＫ／ＮＡＫ）ビットをサポートする、アップリンク制御フォーマットのコンフィギュレーションを送信すること、を含む。この方法はまた、特別なサブフレーム・コンフィギュレーションが、ダウンリンク・データ送信をサポートするか否かを判定すること、を含む。この方法はさらに、この判定に少なくとも部分的に基づいて、ＡＣＫ／ＮＡＫビットの数を割り当てること、を含む。この方法はさらにまた、この割り当てに少なくとも部分的に基づいて、アップリンク・サブフレームでＡＣＫ／ＮＡＫ情報を受信すること、を含む。
【００１０】
無線通信のための装置が提案される。この装置は、時分割デュプレクス（ＴＤＤ）システムにおいて少なくとも３つのアクノレッジメント／否定的アクノレッジメント（ＡＣＫ／ＮＡＫ）ビットをサポートする、アップリンク制御フォーマットのコンフィギュレーションを送信する手段、を含む。この装置はまた、特別なサブフレーム・コンフィギュレーションが、ダウンリンク・データ送信をサポートするか否かを判定する手段、を含む。この装置はさらに、この判定に少なくとも部分的に基づいて、ＡＣＫ／ＮＡＫビットの数を割り当てる手段、を含む。この装置はさらにまた、この割り当てに少なくとも部分的に基づいて、アップリンク・サブフレームでＡＣＫ／ＮＡＫ情報を受信する手段、を含む。
【００１１】
無線ネットワークにおける無線通信のためのコンピュータ・プログラム製品が提案される。このコンピュータ・プログラム製品は、記録された非一時的なプログラム・コードを有する非一時的なコンピュータ読取可能な媒体を含む。記録された非一時的なプログラム・コードを有する非一時的なコンピュータ読取可能な媒体を含む。この非一時的なプログラム・コードは、時分割デュプレクス（ＴＤＤ）システムにおいて少なくとも３つのアクノレッジメント／否定的アクノレッジメント（ＡＣＫ／ＮＡＫ）ビットをサポートする、アップリンク制御フォーマットのコンフィギュレーションを送信するためのプログラム・コード、を含む。この非一時的なプログラム・コードはまた、特別なサブフレーム・コンフィギュレーションが、ダウンリンク・データ送信をサポートするか否かを判定するためのプログラム・コード、を含む。この非一時的なプログラム・コードはさらに、この判定に少なくとも部分的に基づいて、ＡＣＫ／ＮＡＫビットの数を割り当てるためのプログラム・コード、を含む。この非一時的なプログラム・コードはさらにまた、この割り当てに少なくとも部分的に基づいて、アップリンク・サブフレームでＡＣＫ／ＮＡＫ情報を受信するためのプログラム・コード、を含む。
【００１２】
無線通信のための装置が提案される。この装置は、メモリと、このメモリに接続されたプロセッサ（単数または複数）とを含む。プロセッサ（単数または複数）は、時分割デュプレクス（ＴＤＤ）システムにおいて少なくとも３つのアクノレッジメント／否定的アクノレッジメント（ＡＣＫ／ＮＡＫ）ビットをサポートする、アップリンク制御フォーマットのコンフィギュレーションを送信するように構成される。プロセッサ（単数または複数）はまた、特別なサブフレーム・コンフィギュレーションが、ダウンリンク・データ送信をサポートするか否かを判定するように構成される。このプロセッサ（単数または複数）はさらに、この判定に少なくとも部分的に基づいて、ＡＣＫ／ＮＡＫビットの数を割り当てるように構成される。このプロセッサ（単数または複数）はさらに、この割り当てに少なくとも部分的に基づいて、アップリンク・サブフレームでＡＣＫ／ＮＡＫ情報を受信するように構成される。
【００１３】
以下に続く詳細記載が良好に理解されるために、本開示の特徴および技術的利点が、広く概説された。本開示のさらなる特徴および利点が以下に記載されるだろう。本開示は、本開示のものと同じ目的を実行するために、修正したり、その他の構成を設計するための基礎として容易に利用されうることが当業者によって理解されるべきである。このような等価な構成は、特許請求の範囲に記載された開示の教示から逸脱しないこともまた当業者によって理解されるべきである。さらなる目的および利点とともに、動作の方法と構成との両方に関し、本開示の特徴であると信じられている新規の特徴が、添付図面と関連して考慮された場合に、以下の記載から良好に理解されるであろう。しかしながら、図面のおのおのは、例示および説明のみの目的のために提供されており、本開示の限界の定義として意図されていないことが明確に理解されるべきである。
【図面の簡単な説明】
【００１４】
本開示の特徴、特性、および利点は、同一の参照符号が全体を通じて同一物を特定している図面とともに考慮された場合、以下に記載する詳細な記載からより明らかになるだろう。
【図１】図１は、テレコミュニケーション・システムの例を概念的に例示するブロック図である。
【図２】図２は、テレコミュニケーション・システムにおけるダウンリンク・フレーム構造の例を概念的に例示する図である。
【図３】図３は、アップリンク通信におけるフレーム構造の例を概念的に例示するブロック図である。
【図４】図４は、本開示の１つの態様にしたがって構成された基地局／ｅノードＢとＵＥとの設計を概念的に例示するブロック図である。
【図５Ａ】図５Ａは、連続的なキャリア・アグリゲーション・タイプを開示する。
【図５Ｂ】図５Ｂは、不連続なキャリア・アグリゲーション・タイプを開示する。
【図６】図６は、媒体アクセス制御（ＭＡＣ）レイヤ・データ・アグリゲーションを開示する。
【図７】図７は、本開示の１つの態様にしたがう、アクノレッジメント／否定的アクノレッジメントのためのダウンリンクからアップリンクへの一般的なキャリア・マッピングの１つのコンフィギュレーションを例示する。
【図８】図８は、大きなアクノレッジメント／否定的アクノレッジメント・ビット割当のために分離したＲｅｅｄ−Ｍｕｌｌｅｒ符号化処理を例示する。
【図９】図９は、特別のサブフレームのサンプル・コンフィギュレーションを示す図解である。
【図１０】図１０は、本開示の例示的な実施形態にしたがう無線通信の方法を例示するフローチャートである。
【図１１】図１１は、本開示の例示的な実施形態にしたがう無線通信のための構成要素を例示するブロック図である。
【図１２】図１２は、本開示の例示的な実施形態にしたがう無線通信の方法を例示するフローチャートである。
【図１３】図１３は、本開示の例示的な実施形態にしたがう無線通信のための構成要素を例示するブロック図である。
【発明を実施するための形態】
【００１５】
添付図面とともに以下に説明する詳細説明は、さまざまな構成の説明として意図されており、本明細書に記載された概念が実現される唯一の構成を示すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１６】
本明細書で記載された技術は、例えば、符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリア周波数分割多元接続（ＳＣ−ＦＤＭＡ）ネットワーク、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、テレコミュニケーション・インダストリ・アソシエーション（ＴＩＡ）のｃｄｍａ２０００（登録商標）等のようなラジオ技術を実現しうる。ＵＴＲＡ技術は、広帯域ＣＤＭＡ（ＷＣＤＭＡ（登録商標））、およびＣＤＭＡのその他の変形を含んでいる。ＣＤＭＡ２０００（登録商標）技術は、米国電子工業会（ＥＩＡ）およびＴＩＡからのＩＳ−２０００規格、ＩＳ−９５規格、およびＩＳ−８５６規格を含んでいる。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）等のようなラジオ技術を実現しうる。ＵＴＲＡ技術およびＥ−ＵＴＲＡ技術は、ユニバーサル・モバイル・テレコミュニケーション・システム（ＵＭＴＳ）の一部である。３ＧＰＰロング・ターム・イボリューション（ＬＴＥ）およびＬＴＥ−アドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートシップ計画」（３ＧＰＰ）と呼ばれる団体からの文書に記載されている。ＣＤＭＡ２０００およびＵＭＢは、「第３世代パートナシップ計画２」（３ＧＰＰ２）と呼ばれる団体からの文書に記載されている。本明細書で記載された技術は、他の無線ネットワークおよびラジオ・アクセス技術のみならず、前述された無線ネットワークおよびラジオ・アクセス技術のためにも使用されうる。明確化のために、これら技術のある態様は、以下において、ＬＴＥまたはＬＴＥ−Ａ（代わりに、これらはともに“ＬＴＥ／−Ａ”と称される）について記載されており、このようなＬＴＥ−Ａ用語が以下の説明の多くで使用される。
【００１７】
図１は、ＴＤＤコンフィギュレーションのための改善されたアクノレッジメント／否定的アクノレッジメント・フィードバックを用いた、ＬＴＥ−Ａネットワークでありうる無線通信ネットワーク１００を示す。無線ネットワーク１００は、多くのイボルブド・ノードＢ（ｅノードＢ）１１０およびその他のネットワーク・エンティティを含む。ｅノードＢは、ＵＥと通信する局であり、基地局、ノードＢ、アクセス・ポイント等とも称されうる。ｅノードＢは、中継局（例えば、１１０ｒ）を備えうる。おのおののｅノードＢ１１０は、特定の地理的エリアのために通信有効通信範囲を提供する。３ＧＰＰでは、用語「セル」は、この用語が使用される文脈に依存して、有効通信範囲エリアにサービス提供しているｅノードＢおよび／またはｅノードＢサブシステムからなる特定の地理的有効通信範囲エリアを称しうる。
【００１８】
ｅノードＢは、マクロ・セル、ピコ・セル、フェムト・セル、および／または、その他のタイプのセルのために、通信有効通信範囲を提供しうる。マクロ・セルは、一般に、比較的大きな地理的エリア（例えば、半径数キロメータ）をカバーし、ネットワーク・プロバイダへのサービス加入を持つＵＥによる無制限のアクセスを許可しうる。ピコ・セルは、一般に、比較的小さな地理的エリアをカバーし、ネットワーク・プロバイダへのサービス加入を持つＵＥによる無制限のアクセスを許可しうる。フェムト・セルもまた一般に、比較的小さな地理的エリア（例えば、住宅）をカバーし、無制限のアクセスに加えて、フェムト・セルとの関連付けを持つＵＥ（例えば、クローズド加入者グループ（ＣＳＧ）内のＵＥ、住宅内のユーザのためのＵＥ等）による制限付のアクセスをも提供しうる。マクロ・セルのためのｅノードＢは、マクロｅノードＢと称されうる。ピコ・セルのためのｅノードＢは、ピコｅノードＢと称されうる。そして、フェムト・セルのためのｅノードＢは、フェムトｅノードＢまたはホームｅノードＢと称されうる。図１に示す例では、ｅノードＢ１１０ａ，１１０ｂ，１１０ｃは、マクロ・セル１０２ａ，１０２ｂ，１０２ｃそれぞれのためのマクロｅノードＢでありうる。ｅノードＢ１１０ｘは、ピコ・セル１０２ｘのためのピコｅノードＢでありうる。そして、ｅノードＢ１１０ｙ，１１０ｚは、それぞれフェムト・セル１０２ｙ，１０２ｚのためのフェムトｅノードＢである。ｅノードＢは、１または複数（例えば２，３，４個等）のセルをサポートしうる。
【００１９】
無線ネットワーク１００はさらに、中継局をも含みうる。中継局は、データおよび／またはその他の情報の送信を上流局（例えば、ｅノードＢ、ＵＥ等）から受信し、データおよび／またはその他の情報の送信を下流局（例えば、ＵＥまたはｅノードＢ）へ送信する局である。中継局はまた、他のＵＥのための送信を中継するＵＥでもありうる。図１に示す例では、中継局１１０ｒは、ｅノードＢ１１０ａとＵＥ１２０ｒとの間の通信を容易にするために、ｅノードＢ１１０ａおよびＵＥ１２０ｒと通信しうる。中継局はまた、リレーｅノードＢ、リレー等とも称されうる。
【００２０】
無線ネットワーク１００はまた、例えば、マクロｅノードＢ、ピコｅノードＢ、フェムトｅノードＢ、リレー等のような異なるタイプのｅノードＢを含むヘテロジニアスなネットワークでもありうる。これら異なるタイプのｅノードＢは、異なる送信電力レベル、異なる有効通信範囲エリア、および、無線ネットワーク１００内の干渉に対する異なるインパクトを有しうる。例えば、マクロｅノードＢは、高い送信電力レベル（例えば、２０ワット）を有する一方、ピコｅノードＢ、フェムトｅノードＢ、およびリレーは、低い送信電力レベル（例えば、１ワット）を有しうる。
【００２１】
無線ネットワーク１００は、同期動作または非同期動作をサポートしうる。同期動作の場合、ｅノードＢは、類似のフレーム・タイミングを有し、異なるｅノードＢからの送信は、時間的にほぼ揃えられうる。非同期動作の場合、ｅノードＢは、異なるフレーム・タイミングを有し、異なるｅノードＢからの送信は、時間的に揃わない場合がある。ここに記載された技術は、同期動作あるいは非同期動作の何れかのために使用されうる。
【００２２】
１つの態様では、無線ネットワーク１００は、周波数分割デュプレクス（ＦＤＤ）動作モードまたは時分割デュプレクス（ＴＤＤ）動作モードをサポートしうる。ここに記載された技術は、ＴＤＤ動作モードのために使用されうる。
【００２３】
ネットワーク・コントローラ１３０は、ｅノードＢ１１０のセットに接続しており、これらｅノードＢ１１０のための調整および制御を提供しうる。ネットワーク・コントローラ１３０は、バックホールを介してｅノードＢ１１０と通信しうる。ｅノードＢ１１０はまた、例えば、ダイレクトに、または、無線バックホールまたは有線バックホールを介して非ダイレクトに、互いに通信しうる。
【００２４】
無線ネットワーク１００の全体にわたって、ＵＥ１２０（例えば、ＵＥ１２０ｘ、ＵＥ１２０ｙ等）が分布しうる。そして、おのおののＵＥは、固定式または移動式でありうる。ＵＥは、端末、ユーザ機器、移動局、加入者ユニット、局等とも称されうる。ＵＥは、セルラ電話（例えば、スマート・フォン）、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、タブレット、ネットブック、スマート・ブック等でありうる。ＵＥは、マクロｅノードＢ、ピコｅノードＢ、フェムトｅノードＢ、リレー等と通信することができうる。図１では、両矢印の実線が、ＵＥと、ダウンリンクおよび／またはアップリンクでＵＥにサービス提供するように指定されたｅノードＢであるサービス提供ｅノードＢとの間の所望の送信を示す。両矢印の破線は、ＵＥとｅノードＢとの間の干渉送信を示す。
【００２５】
ＬＴＥは、ダウンリンクで直交周波数分割多重（ＯＦＤＭ）を、アップリンクでシングル・キャリア周波数分割多重（ＳＣ−ＦＤＭ）を利用する。ＯＦＤＭおよびＳＣ−ＦＤＭは、システム帯域幅を、一般にトーン、ビン等とも称される複数（Ｋ個）の直交サブキャリアに分割する。おのおののサブキャリアは、データとともに変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（Ｋ個）は、システム帯域幅に依存しうる。例えば、サブキャリアの間隔は、１５ｋＨｚでありうる。そして、（「リソース・ブロック」と呼ばれる）最小リソース割当は、１２サブキャリア（または１８０ｋＨｚ）でありうる。その結果、ノミナルＦＦＴサイズは、１．２５，２．５，５，１０，または２０メガヘルツ（ＭＨｚ）の対応するシステム帯域幅についてそれぞれ１２８，２５６，５１２，１０２４，または２０４８に等しくなりうる。システム帯域幅はまた、サブ帯域へ分割されうる。例えば、サブ帯域は、１．０８ＭＨｚ（すなわち、６リソース・ブロック）をカバーし、１．２５，２．５，５，１０，１５，または２０ＭＨｚの対応するシステム帯域幅についてそれぞれ１，２，４，８，または１６のサブ帯域が存在しうる。
【００２６】
図２は、ＬＴＥにおいて使用されるダウンリンクＦＤＤフレーム構造を示す。ダウンリンクの送信タイムラインは、ラジオ・フレームの単位に分割されうる。おのおののラジオ・フレームは、（例えば１０ミリ秒（ｍｓ）のような）予め定められた持続時間を有し、０乃至９のインデクスを付された１０個のサブフレームへ分割されうる。おのおののサブフレームは、２つのスロットを含みうる。したがって、おのおののラジオ・フレームは、０乃至１９のインデクスを付された２０のスロットを含みうる。おのおののスロットは、Ｌ個のシンボル期間、（例えば、図２に示すような）通常のサイクリック・プレフィクスの場合、例えば、７つのシンボル期間を含み、拡張されたサイクリック・プレフィクスの場合、６つのシンボル期間を含みうる。おのおののサブフレームでは、２Ｌ個のシンボル期間が、０乃至２Ｌ−１のインデクスを割り当てられうる。利用可能な時間周波数リソースが、リソース・ブロックへ分割されうる。おのおののリソース・ブロックは、１つのスロットにおいてＮ個のサブキャリア（例えば、１２のサブキャリア）をカバーしうる。
【００２７】
ＬＴＥでは、ｅノードＢは、ｅノードＢにおける各セルについて、一次同期信号（ＰＳＣまたはＰＳＳ）および二次同期信号（ＳＳＣまたはＳＳＳ）を送信しうる。ＦＤＤ動作モードの場合、図２に示すように、一次同期信号および二次同期信号が、通常のサイクリック・プレフィクスを持つ各ラジオ・フレームのサブフレーム０およびサブフレーム５のおのおのにおいて、シンボル期間６およびシンボル期間５でそれぞれ送信されうる。これら同期信号は、セル検出および獲得のためにＵＥによって使用されうる。ＦＤＤ動作モードの場合、ｅノードＢは、サブフレーム０のスロット１におけるシンボル期間０乃至３で、物理ブロードキャスト・チャネル（ＰＢＣＨ）を送信しうる。ＰＢＣＨは、あるシステム情報を伝送しうる。
【００２８】
図２で見られるように、ｅノードＢは、各サブフレームの最初のシンボル期間で、物理制御フォーマット・インジケータ・チャネル（ＰＣＦＩＣＨ）を送信しうる。ＰＣＦＩＣＨは、制御チャネルのために使用されるシンボル期間の数（Ｍ）を伝えうる。ここで、Ｍは、１，２または３に等しく、サブフレーム毎に変化しうる。Ｍはまた、例えば、１０未満のリソース・ブロックのように、小さなシステム帯域幅に対して４に等しくなりうる。図２に示す例では、Ｍ＝３である。ｅノードＢは、おのおののサブフレームの最初のＭ個のシンボル期間において、物理ＨＡＲＱインジケータ・チャネル（ＰＨＩＣＨ）および物理ダウンリンク制御チャネル（ＰＤＣＣＨ）を送信しうる。ＰＤＣＣＨおよびＰＨＩＣＨもまた、図２に示す例における最初の３つのシンボル期間に含まれる。ＰＨＩＣＨは、ハイブリッド自動再送信（ＨＡＲＱ）をサポートするための情報を伝送しうる。ＰＤＣＣＨは、ＵＥのためのアップリンクおよびダウンリンクのリソース割当に関する情報と、アップリンク・チャネルのための電力制御情報とを伝送しうる。ｅノードＢはまた、おのおののサブフレームの残りのシンボル期間で、物理ダウンリンク共有チャネル（ＰＤＳＣＨ）を送信しうる。ＰＤＳＣＨは、ダウンリンクで、データ送信のためにスケジュールされたＵＥのためのデータを伝送しうる。
【００２９】
ｅノードＢは、ｅノードＢによって使用されるシステム帯域幅の中央の１．０８ＭＨｚでＰＳＣ、ＳＳＳ、およびＰＢＣＨを送信しうる。ｅノードＢは、これらのチャネルが送信される各シンボル期間において、システム帯域幅全体で、ＰＣＦＩＣＨおよびＰＨＩＣＨを送信しうる。ｅノードＢは、システム帯域幅のある部分で、ＵＥのグループにＰＤＣＣＨを送信しうる。ｅノードＢは、システム帯域幅の特定の部分で、ＵＥのグループにＰＤＳＣＨを送信しうる。ｅノードＢは、すべてのＵＥへブロードキャスト方式でＰＳＣ、ＳＳＣ、ＰＢＣＨ、ＰＣＦＩＣＨ、およびＰＨＩＣＨを送信し、ＰＤＣＣＨを、ユニキャスト方式で、特定のＵＥへ送信しうる。さらに、特定のＵＥへユニキャスト方式でＰＤＳＣＨをも送信しうる。
【００３０】
各シンボル期間において、多くのリソース要素が利用可能でありうる。おのおののリソース要素は、１つのシンボル期間において１つのサブキャリアをカバーしうる。そして、実数値または複素数値である１つの変調シンボルを送信するために使用されうる。制御チャネルのために使用されるシンボルのために、各シンボル期間において、基準信号のために使用されないリソース要素が、リソース要素グループ（ＲＥＧ）へ構成されうる。おのおののＲＥＧは、１つのシンボル期間内に、４つのリソース要素を含みうる。ＰＣＦＩＣＨは、シンボル期間０内に４つのＲＥＧを占有しうる。これらは、周波数にわたってほぼ均等に配置されうる。ＰＨＩＣＨは、１または複数の設定可能なシンボル期間内に３つのＲＥＧを占有しうる。これらは、周波数にわたって分散されうる。例えば、ＰＨＩＣＨのための３つのＲＥＧはすべて、シンボル期間０に属しうる。あるいは、シンボル期間０，１，２に分散されうる。ＰＤＣＣＨは、最初のＭ個のシンボル期間内に、９，１８，３６，または７２のＲＥＧを占有しうる。これらは、利用可能なＲＥＧから選択されうる。複数のＲＥＧからなるある組み合わせのみが、ＰＤＣＣＨのために許容されうる。
【００３１】
ＵＥは、ＰＨＩＣＨとＰＣＦＩＣＨとのために使用される特定のＲＥＧを認識しうる。ＵＥは、ＰＤＣＣＨを求めて、ＲＥＧの異なる組み合わせを探索しうる。探索する組み合わせの数は、一般に、ＰＤＣＣＨにおいてすべてのＵＥのために許可された組み合わせ数よりも少ない。ｅノードＢは、ＵＥが探索する組み合わせのうちの何れかのＵＥにＰＤＣＣＨを送信しうる。
【００３２】
ＵＥは、複数のｅノードＢの有効通信範囲内に存在しうる。これらのｅノードＢのうちの１つが、ＵＥにサービス提供するために選択されうる。サービス提供するｅノードＢは、例えば受信電力、経路喪失、信号対雑音比（ＳＮＲ）等のようなさまざまな基準に基づいて選択されうる。
【００３３】
図３は、アップリンク・ロング・ターム・イボリューション（ＬＴＥ）通信における典型的なＦＤＤおよびＴＤＤ（特別ではないサブフレームのみの）サブフレーム構造を概念的に例示するブロック図である。アップリンクのために利用可能なリソース・ブロック（ＲＢ）は、データ・セクションおよび制御セクションに分割されうる。制御セクションは、システム帯域幅の２つの端部において形成され、設定可能なサイズを有しうる。制御セクションにおけるリソース・ブロックは、制御情報の送信のために、ＵＥへ割り当てられうる。データ・セクションは、制御セクションに含まれていないすべてのリソース・ブロックを含みうる。図３における設計の結果、データ・セクションは、連続するサブキャリアを含むようになる。これによって、単一のＵＥは、連続するサブキャリアのすべてがデータ・セクション内に割り当てられるようになる。
【００３４】
ＵＥは、ｅノードＢへ制御情報を送信するために、制御セクションにおいてリソース・ブロックを割り当てられうる。ＵＥはまた、ｅノードＢへデータを送信するために、データ・セクション内にリソース・ブロックを割り当てられうる。ＵＥは、制御セクションにおいて割り当てられたリソース・ブロックで、物理アップリンク制御チャネル（ＰＵＣＣＨ）で制御情報を送信しうる。ＵＥは、データ・セクションにおいて割り当てられたリソース・ブロックで、物理アップリンク共有チャネル（ＰＵＳＣＨ）で、データのみ、または、データと制御情報との両方を送信しうる。アップリンク送信は、サブフレームからなる両スロットに及び、図３に示すように、周波数を越えてホップしうる。１つの態様によれば、緩和されたシングル・キャリア動作において、ＵＬリソースで並列なチャネルが送信されうる。例えば、制御およびデータ・チャネル、並列制御チャネル、および並列データ・チャネルが、ＵＥによって送信されうる。
【００３５】
ＰＳＣ（一次同期キャリア）、ＳＳＣ（二次同期キャリア）、ＣＲＳ（共通基準信号）、ＰＢＣＨ、ＰＵＣＣＨ、ＰＵＳＣＨ、および、ＬＴＥ／−Ａで使用される他のこのような信号およびチャネルは、公的に利用可能な、「イボルブド・ユニバーサル地上ラジオ・アクセス（Ｅ−ＵＴＲＡ）；物理チャネルおよび変調」（Evolved Universal Terrestrial Radio Access (E-UTRA); Physical Channels and Modulation）と題された３ＧＰＰ  ＴＳ  ３６．２１１に記載されている。
【００３６】
図４は、図１における基地局／ｅノードＢのうちの１つ、およびＵＥのうちの１つでありうる、基地局／ｅノードＢ１１０とＵＥ１２０との設計のブロック図を示す。例えば、基地局１１０は、図１におけるマクロｅノードＢ１１０ｃでありうる。そして、ＵＥ１２０は、ＵＥ１２０ｙでありうる。基地局１１０はさらに、その他いくつかのタイプの基地局でもありうる。基地局１１０は、アンテナ４３４ａ乃至４３４ｔを備え、ＵＥ１２０は、アンテナ４５２ａ乃至４５２ｒを備えうる。
【００３７】
基地局１１０では、送信プロセッサ４２０が、データ・ソース４１２からデータを、コントローラ／プロセッサ４４０から制御情報を受信しうる。制御情報は、ＰＢＣＨ、ＰＣＦＩＣＨ、ＰＨＩＣＨ、ＰＤＣＣＨ等用でありうる。データは、ＰＤＳＣＨ等用でありうる。プロセッサ４２０は、データ・シンボルおよび制御シンボルをそれぞれ取得するために、データおよび制御情報を処理（例えば、符号化およびシンボル・マップ）しうる。プロセッサ４２０はさらに、例えばＰＳＳ、ＳＳＳのための基準シンボルや、セル特有の基準信号を生成しうる。送信（ＴＸ）複数入力複数出力（ＭＩＭＯ）プロセッサ４３０は、適用可能であれば、データ・シンボル、制御シンボル、および／または基準シンボルに空間処理（例えば、プリコーディング）を実行し、出力シンボル・ストリームを変調器（ＭＯＤ）４３２ａ乃至４３２ｔに提供しうる。おのおのの変調器４３２は、（例えば、ＯＦＤＭ等のために）それぞれの出力シンボル・ストリームを処理して、出力サンプル・ストリームを得る。おのおのの変調器４３２はさらに、出力サンプル・ストリームを処理（例えば、アナログ変換、増幅、フィルタ、およびアップコンバート）し、ダウンリンク信号を取得する。変調器４３２ａ乃至４３２ｔからのダウンリンク信号は、アンテナ４３４ａ乃至４３４ｔを介してそれぞれ送信されうる。
【００３８】
ＵＥ１２０では、アンテナ４５２ａ乃至４５２ｒが、基地局１１０からダウンリンク信号を受信し、受信した信号を、復調器（ＤＥＭＯＤ）４５４ａ乃至４５４ｒへそれぞれ提供しうる。おのおのの復調器４５４は、受信したそれぞれの信号を調整（例えば、フィルタ、増幅、ダウンコンバート、およびデジタル化）して、入力サンプルを取得しうる。おのおのの復調器４５４はさらに、（例えば、ＯＦＤＭ等のため）これら入力サンプルを処理して、受信されたシンボルを取得しうる。ＭＩＭＯ検出器４５６は、すべての復調器４５４ａ乃至４５４ｒから受信したシンボルを取得し、適用可能である場合、これら受信されたシンボルに対してＭＩＭＯ検出を実行し、検出されたシンボルを提供しうる。受信プロセッサ４５８は、検出されたシンボルを処理（例えば、復調、デインタリーブ、および復号）し、ＵＥ１２０のために復号されたデータをデータ・シンク４６０に提供し、復号された制御情報をコントローラ／プロセッサ４８０へ提供しうる。
【００３９】
アップリンクでは、ＵＥ１２０において、送信プロセッサ４６４が、データ・ソース４６２から（例えばＰＵＳＣＨのための）データを、コントローラ／プロセッサ４８０から（例えばＰＵＣＣＨのための）制御情報を受信し、これらを処理しうる。プロセッサ４６４はさらに、基準信号のための基準シンボルをも生成しうる。送信プロセッサ４６４からのシンボルは、適用可能であれば、ＴＸ  ＭＩＭＯプロセッサ４６６によってプリコードされ、さらに、（例えば、ＳＣ−ＦＤＭ等のために）変調器４５４ａ乃至４５４ｒによって処理され、基地局１１０へ送信されうる。基地局１１０では、ＵＥ１２０からのアップリンク信号が、アンテナ４３４によって受信され、復調器４３２によって処理され、適用可能な場合にはＭＩＭＯ検出器４３６によって検出され、さらに、受信プロセッサ４３８によって処理されて、ＵＥ１２０によって送信された復号されたデータおよび制御情報が取得されうる。プロセッサ４３８は、復号されたデータをデータ・シンク４３９に提供し、復号された制御情報をコントローラ／プロセッサ４４０へ提供しうる。基地局１１０は、例えばＸ２インタフェース４４１を介して、他の基地局へメッセージを送信しうる。
【００４０】
コントローラ／プロセッサ４４０，４８０は、基地局１１０およびＵＥ１２０それぞれにおける動作を指示しうる。基地局１１０におけるプロセッサ４４０および／またはその他のプロセッサおよびモジュールは、本明細書に記載された技術のためのさまざまな処理の実行または実行の指示を行いうる。ＵＥ１２０におけるプロセッサ４８０および／またはその他のプロセッサおよびモジュールは、図１０の使用方法フローチャートに例示された機能ブロック、および／または、本明細書に記載された技術のためのその他の処理の実行または実行の指示を行いうる。メモリ４４２，４８２は、基地局１１０およびＵＥ１２０それぞれのためのデータおよびプログラム・コードを格納しうる。スケジューラ４４４は、ダウンリンクおよび／またはアップリンクでのデータ送信のためにＵＥをスケジュールしうる。
【００４１】
（キャリア・アグリゲーション）  
ＬＴＥアドバンストは、各方向における送信のために使用される、最大で合計１００ＭＨｚのキャリア・アグリゲーション（５つの成分キャリア）に割り当てられた最大２０ＭＨｚ帯域幅のスペクトルを用いる。キャリア・アグリゲーションはまた、マルチ・キャリア動作とも称されうる。キャリアはまた、成分キャリア（ＣＣ）、セル等とも称されうる。ダウンリンクのために使用されるキャリアは、ダウンリンクＣＣと称され、アップリンクのために使用されるキャリアは、アップリンクＣＣと称されうる。ｅノードＢは、１または複数のダウンリンクＣＣで、ＵＥへ、データおよび制御情報を送信しうる。ＵＥは、１または複数のアップリンクＣＣで、ｅノードＢへ、データおよび制御情報を送信しうる。一般に、アップリンクではダウンリンクよりも少ないトラフィックしか送信されないので、アップリンク・スペクトル割当は、ダウンリンク・スペクトル割当よりも小さくなりうる。例えば、２０ＭＨｚがアップリンクに割り当てられた場合、ダウンリンクは１００ＭＨｚを割り当てられうる。これらの非対称なＦＤＤ割当は、スペクトルを節約し、ブロードバンド加入者による一般的に非対称な帯域幅利用のために良く適合する。
【００４２】
（キャリア・アグリゲーション・タイプ）  
ＬＴＥアドバンスト・モバイル・システムについては、２つのタイプのキャリア・アグリゲーション（ＣＡ）方法、すなわち連続的なＣＡと不連続なＣＡとが提案されている。これらは図５Ａおよび図５Ｂに例示されている。利用可能な複数の成分キャリアが、周波数帯域に沿って分離されている場合、不連続なＣＡが生じる（図５Ｂ）。一方、利用可能な複数の成分キャリアが、互いに隣接している場合、連続的なＣＡが生じる（図５Ａ）。ＬＴＥアドバンストＵＥの１つのユニットにサービス提供するために、不連続なＣＡと連続的なＣＡとの両方が、複数のＬＴＥ／成分キャリアをアグリゲートする。
【００４３】
ＬＴＥアドバンストＵＥでは、不連続なＣＡを用いて、複数のＲＦ受信ユニットおよび複数のＦＦＴが配置されうる。なぜなら、これらキャリアは、周波数帯域に沿って分離されているからである。不連続なＣＡは、分離された複数のキャリアによるデータ送信を、広い周波数範囲にわたってサポートするので、伝搬経路喪失、ドップラ・シフト、およびその他のラジオ・チャネル特性が、異なる周波数帯域において大きく変動しうる。
【００４４】
したがって、不連続なＣＡアプローチにおけるブロードバンド・データ送信をサポートするために、異なる成分キャリアのための符号化、変調、および送信電力を適応的に調節する方法が使用されうる。例えば、エンハンスト・ノードＢ（ｅノードＢ）が、各成分キャリアにおいて固定された送信電力を有するＬＴＥアドバンスト・システムでは、各成分キャリアの有効な通信範囲またはサポート可能な変調および符号化は異なりうる。
【００４５】
（データ・アグリゲーション・スキーム）  
図６は、ＩＭＴアドバンスト（インターナショナル・モバイル・テレコミュニケーション・アドバンスト）システムのために、媒体アクセス制御（ＭＡＣ）レイヤにおいて、異なる成分キャリアからの送信ブロック（ＴＢ）をアグリゲートすることを例示する。ＭＡＣレイヤ・データ・アグリゲーションを用いて、各成分キャリアは、ＭＡＣレイヤ内に、自己の独立したハイブリッド自動反復要求（ＨＡＲＱ）エンティティを、物理レイヤ内に、自己の送信今ふぃぎゅーレーション・パラメータ（例えば、送信電力、変調および復号スキーム、および複数アンテナ構成）を有する。同様に、物理レイヤには、各成分キャリアのために、１つのＨＡＲＱエンティティが提供される。
【００４６】
（制御シグナリング）  
一般に、複数の成分キャリアのための制御チャネル・シグナリングを展開するために、３つの異なるアプローチが存在する。第１のアプローチは、ＬＴＥシステムにおける制御構造を若干修正することを含む。ここでは、各成分キャリアは、自身の符号化制御チャネルを与えられる。
【００４７】
第２の方法は、異なる成分キャリアの制御チャネルを統合的に符号化することと、これら制御チャネルを、専用の成分キャリア内に配置することと、を含む。複数の成分キャリアのための制御情報は、この専用の制御チャネルにおけるシグナリング・コンテンツとして統合されるだろう。この結果、ＣＡにおけるシグナリング・オーバヘッドが低減されながら、ＬＴＥシステムにおける制御チャネル構造との後方互換性が維持される。
【００４８】
異なる成分キャリアのための複数の制御チャネルが、統合的に符号化され、その後、第３のＣＡ方法によって生成された周波数帯域全体にわたって送信される。このアプローチは、ＵＥ側における高い電力消費を犠牲にして、制御チャネルにおける高い復号パフォーマンスおよび低いシグナリング・オーバヘッドを提供する。しかしながら、この方法は、ＬＴＥシステムとの互換性をもたない。
【００４９】
（ハンドオーバ制御）  
ＣＡがＩＭＴアドバンストＵＥのために使用される場合、複数のセルにわたるハンドオーバ手順中に、送信連続性をサポートすることが望ましい。しかしながら、到来するＵＥのため、特定のＣＡコンフィギュレーション要件およびサービス品質（ＱｏＳ）要件を持つ十分なシステム・リソース（すなわち、良好な送信品質を持つ成分キャリア）を確保することは、次のｅノードＢのために魅力的でありうる。この理由は、２つ（またはそれ以上）の隣接するセル（ｅノードＢ）のチャネル条件が、特定のＵＥについて異なりうるからである。１つのアプローチでは、ＵＥは、各隣接セルにおいて、１つの成分キャリアのパフォーマンスしか測定しない。これは、ＬＴＥシステムにおけるものと同様の測定遅れ、複雑さ、およびエネルギ使用量を与える。対応するセルにおけるその他の成分キャリアのパフォーマンスの推定値は、１つの成分キャリアの測定結果に基づきうる。この推定値に基づいて、ハンドオーバ決定および送信構成が決定されうる。
【００５０】
さまざまな例によれば、（キャリア・アグリゲーションとも称される）マルチキャリア・システムにおいて動作しているＵＥは、「一次キャリア」と称されうるものと同じキャリアにおける制御機能およびフィードバック機能のような、複数のキャリアのある機能をアグリゲートするように構成される。サポートのために一次キャリアに依存する残りのキャリアは、関連付けられた二次キャリアと称される。例えば、ＵＥは、例えばオプションの専用チャネル（ＤＣＨ）、非スケジュール許可、物理アップリンク制御チャネル（ＰＵＣＣＨ）、および／または、物理ダウンリンク制御チャネル（ＰＤＣＣＨ）によって提供されるような制御機能をアグリゲートしうる。シグナリングおよびペイロードは、ｅノードＢによるＵＥへのダウンリンクと、ＵＥによるｅノードＢへのアップリンクとの両方で送信されうる。
【００５１】
いくつかの例では、複数の一次キャリアが存在しうる。さらに、二次キャリアは、例えば、ＬＴＥ  ＲＲＣプロトコルのための３ＧＰＰ技術仕様３６．３３１のような、レイヤ２手順およびレイヤ３手順であるＲＬＦ手順、および物理チャネル確立を含むＵＥ１２０の基本動作に悪影響を与えることなく追加または削除されうる。
【００５２】
当業者であれば、情報および信号は、さまざまな異なる技術および技法のうちの何れかを用いて表されうることを理解するであろう。例えば、本記載を通じて参照されたデータ、命令群、指示、情報、信号、ビット、シンボル、およびチップは、電圧、電流、電磁波、磁場または磁気粒子、光場または光粒子、またはこれらの任意の組み合わせによって表されうる。
【００５３】
以下に記載される機能ブロックおよびモジュールは、プロセッサ、電子デバイス、ハードウェア・デバイス、電子部品、論理回路、メモリ、ソフトウェア・コード、ファームウェア・コード等、またはこれらの任意の組み合わせでありうる。さまざまなブロックおよびモジュールが、本明細書に記載された実施態様を実施するように構成されうる。
【００５４】
（ＴＤＤのための改善されたアクノレッジメント／否定的アクノレッジメント・フィードバック）  
ＵＥとｅノードＢとの間での送信が適切に受信されたか否かを判定するために、アクノレッジメント（ＡＣＫ）プロトコルおよび／または否定的アクノレッジメント（ＮＡＫ）プロトコルが、無線通信システムによって適用されている。通信プロトコルに依存して、異なる数のビットが、ＡＣＫ／ＮＡＫ目的のために割り当てられうる。ＦＤＤ動作の場合、ＵＥは、ＵＥが５つの成分キャリアで構成された場合に、最大で１０のＡＣＫ／ＮＡＫビットがサポートされる。ここで、２ビットは、キャリア・アグリゲーションにおける各成分キャリアへ割り当てられる。ＴＤＤ動作の場合、ＵＥが５つの成分キャリアで構成された場合に、最大で２０のＡＣＫ／ＮＡＫビットがサポートされる。３ＧＰＰリリース１０におけるＰＵＣＣＨスキームの場合、ＵＥは、フォーマット１ｂチャネル選択のために、最大で４のＡＣＫ／ＮＡＫビットをサポートし、ＤＦＴ−Ｓ−ＯＦＤＭ（離散フーリエ変換拡散直交周波数分割多重）のためにフル・レンジのＡＣＫ／ＮＡＫビットをサポートしうる。
【００５５】
ＡＣＫ／ＮＡＫ復号を実行する場合、ｅノードＢは、ダウンリンク成分キャリア（ＣＣ）がスケジュールされているか否かを認識し、それにしたがって、ＡＣＫ／ＮＡＫ復号を実行しうる。スケジューリングされていないＣＣの場合、ＡＣＫ／ＮＡＫ検出を実行する必要はない。
【００５６】
キャリア・アグリゲーションでは、１つの成分キャリアが、一次成分キャリア（ＰＣＣ）として指定され、他の成分キャリアが、二次成分キャリア（ＳＣＣ）として指定されうる。一次成分キャリアは、ＵＥ毎ベースで高次レイヤによって準静的に設定されうる。例えばＡＣＫ／ＮＡＫ情報、チャネル状態情報（ＣＳＩ）、およびスケジューリング要求（ＳＲ）のような信号が、ＰＵＣＣＨで送信される場合、これら信号は、一次成分キャリアで送信される。二次成分キャリアは、所与のＵＥのためのＰＵＣＣＨを伝送しない。ＡＣＫ／ＮＡＫ目的のために、最大５：１のダウンリンク対アップリンクの成分キャリア・マッピングを構成することが可能である。これは、１つのアップリンク成分キャリアが、最大で５つのダウンリンク成分キャリアのために、ＰＵＣＣＨにおけるＡＣＫ／ＮＡＫ送信をサポートすることを意味する。図７は、３つのダウンリンク成分キャリアおよび３つのアップリンク成分キャリア（ＣＣ１，ＣＣ２，ＣＣ３）を示す。アップリンク一次成分キャリア（ＵＬ  ＰＣＣ）は、ＰＵＳＣＨ（データ）送信に加えて、ＰＵＣＣＨ（制御）送信をサポートする。アップリンク二次成分キャリア（ＳＣＣ）は、ＰＵＳＣＨ送信のみをサポートする。
【００５７】
異なるチャネル選択フォーマットのために、異なるＡＣＫ／ＮＡＫコードブック／マッピング・テーブルが設定されうる。例えば、フォーマット３の場合、コードブック選択は、設定された成分キャリアと、各成分キャリアのために設定された送信モードとに基づきうる。不連続送信（ＤＴＸ）動作が、ＮＡＫと同じ状態で符号化されうる（例えば、＝０）。ｅノードＢは、ダウンリンク成分キャリアがスケジュールされているか否かを認識し、それにしたがって、ＡＣＫ／ＮＡＫ復号を実行しうる。例えば、スケジュールされていない成分キャリアの場合、これら成分キャリアのためのＡＣＫ／ＮＡＫ検出は実行されない。フォーマット１ｂベースのチャネル選択の場合、ＡＣＫ／ＮＡＫマッピング・テーブルは、送信モードおよび設定された成分キャリアの数に依存しうる。
【００５８】
ＡＣＫ／ＮＡＫに割り当てられたビット数は、無線通信におけるさまざまな動作にインパクトを与えうる。ＤＦＴ−Ｓ−ＯＦＤＭの場合、ＡＣＫ／ＮＡＫペイロード・サイズは、Ｒｅｅｄ−Ｍｕｌｌｅｒ符号化がどのように実行されるかにインパクトを与えうる。例えば、１１以下のビット（例えば、１０ビットのＡＣＫ／ＮＡＫと、１ビットのスケジューリング要求を備えた統合符号化、または、１ビットのスケジューリング要求のない１１ビットのＡＣＫ／ＮＡＫ）がＡＣＫ／ＮＡＫに割り当てられている場合、サーキュラ・バッファ・レート・マッチングとともに、リリース８からの（３２，０）Ｒｅｅｄ−Ｍｕｌｌｅｒ（ＲＭ）符号が使用されうる。ここで、０は、１ビットのスケジューリング要求および／またはＡＣＫ／ＮＡＫビットの数である。１１ビットよりも多くのビット（ＡＣＫ／ＮＡＫおよび／またはスケジューリング要求）が存在する場合、ペイロード・ビットは、図８に示されるような動作のため、２ブロックへ分割されうる。ＡＣＫ／ＮＡＫフィードバック・ペイロード・サイズがＮである場合、ＡＣＫ／ＮＡＫビットは、長さシーリング（Ｎ／２）とＮシーリング（Ｎ／２）とからなる２つのＡＣＫ／ＮＡＫブロックへおおよそ等しく分割される。各ＡＣＫ／ＮＡＫブロックは、１１ビット以下を含み、リリース８  ＲＭ（３２，０）で符号化される。ここで、最後の８行は、１２の直交フェーズ・シフト・キーイング（ＱＰＳＫ）シンボルへパンクチャおよび変調される。２つのＡＣＫ／ＮＡＫブロック（図８におけるセグメント１およびセグメント２）から交互に収集された２４のＱＰＳＫシンボルは、離散フーリエ変換（ＤＦＴ）処理および逆高速フーリエ変換（ＩＦＦＴ）処理の後、２つのスロット（図８におけるスロット０およびスロット１）で送信（Ｔｘ）される。
【００５９】
ＡＣＫ／ＮＡＫビットの数は、ＰＵＣＣＨ電力制御のみならず、アップリンク制御情報（ＵＣＩ）がＰＵＳＣＨでピギーバックされた場合におけるＵＣＩのリソース決定にもインパクトを与えうる。
【００６０】
ＡＣＫ／ＮＡＫビットの不必要な割当を回避するために、ＡＣＫ／ＮＡＫビットの数を、通信サブフレームにできる限り近く一致させることが望まれる。しかしながら、この割当は、一定のサブフレームが使用されるか否かが明らかではないという状況では困難でありうる。例えば、リリース８では、表１に示されるように、７つのＴＤＤコンフィギュレーションがサポートされている。  
【表１】
0005784743.tif 000002
【００６１】
これらサブフレームは、ダウンリンク・サブフレーム（Ｄ）、アップリンク・サブフレーム（Ｕ）、および特別なサブフレーム（Ｓ）に分割される。
【００６２】
図９は、特別なサブフレームを含むサンプル・コンフィギュレーションを示す。特別なサブフレームには、ＤｗＰＴＳ（ダウンリンク・パイロット時間スロット）シンボル、ＧＰ（ガード期間）シンボル、およびＵｐＰＴＳ（アップリンク・パイロット時間スロット）シンボルからなる異なる組み合わせを反映する８つの可能なコンフィギュレーションがある。ここで、Ｔｆは、１０ミリ秒のラジオ・フレーム持続時間であり、Ｔｓｌｏｔは、０．５ミリ秒のスロット持続時間であり、Ｔｓは、１／（１５０００＊２０４８）秒である基本時間単位である。
【００６３】
ある特別なサブフレーム・コンフィギュレーションは、ダウンリンク送信をサポートし、またある特別なサブフレーム・コンフィギュレーションは、ダウンリンク送信をサポートしない。すなわち、特別なサブフレームでは、ＤｗＰＴＳは、ダウンリンク送信をサポートするように十分に長い場合も、長くない場合もありうる。例として、通常のサイクリック・プレフィクスでは、ＤｗＰＴＳが２−３シンボル長さである特別なサブフレーム・コンフィギュレーションのために、ＰＤＳＣＨが特別なサブフレームで送信されず、この特別なサブフレームは、ダウンリンク送信のために構成されていない場合がありうる。ＤｗＰＴＳが９−１２シンボル長さである場合、ＤｗＰＴＳはダウンリンク送信をサポートしうる。
【００６４】
あるキャリア・アグリゲーション・スキームでは、成分キャリアは、同じＴＤＤアップリンク・ダウンリンク・コンフィギュレーションを有しうる。例えば、３ＧＰＰリリース１０では、異なるＣＣが、同じＴＤＤアップリンク・ダウンリンク・コンフィギュレーションを有しなければならない（例えば、ＣＣは、表１に示すようにコンフィギュレーション０乃至６のうちの同じ１つのコンフィギュレーションを共有するだろう）。しかしながら、別のＣＣは、別の特別なフレーム・コンフィギュレーションを有しうる。すなわち、ＣＣは、同じサブフレーム内にそれぞれ特別なサブフレームを示している（例えば、ＴＤＤアップリンク・ダウンリンク・コンフィギュレーション０の場合、サブフレーム１およびサブフレーム６）一方、別のＣＣにおける特定の特別なサブフレームは、それぞれのＤｗＰＴＳについて、異なるガード期間および異なるシンボル割当を有しうる。
【００６５】
ＡＣＫ／ＮＡＫフィードバックは、特別なサブフレーム・コンフィギュレーションに基づいて、あるＣＣを除外しうる。このフィードバック構成は、例えば、ＰＵＣＣＨフォーマット３またはＰＵＣＣＨフォーマット１ｂベースのチャネル選択において、ＡＣＫ／ＮＡＫビットの総数にインパクトを与えるだろう。ＡＣＫ／ＮＡＫビットの総数が１１以下である場合、単一のＲＭ（３２，０）符号で十分でありうる。そうではない場合、前述したように、デュアルＲＭ符号化が適用されうる。同様に、ＡＣＫ／ＮＡＫビット数が変動する場合、ＰＵＳＣＨにおけるアップリンク制御情報（ＵＣＩ）ピギーバックのためのＰＵＣＣＨ電力制御およびリソース決定もまた影響されうる。
【００６６】
提供されるものは、ＡＣＫ／ＮＡＫフィードバックを提供するために、ＰＵＣＣＨフォーマット３またはＰＵＣＣＨフォーマット１ｂベースのチャネル選択が提供される場合において、ＣＣにわたるＤｗＰＴＳコンフィギュレーションを考慮することにより、ＡＣＫ／ＮＡＫビットを効率的に割り当てるための解決策である。これらの解決策は、ＰＵＣＣＨフォーマット３がＴＤＤにおける単一のＣＣのために構成される場合にも適用可能である。
【００６７】
本開示の１つの態様は、ＣＣの数、各ＣＣのＤＬ送信モード、および、ＨＡＲＱ関係に基づくサブフレームの数に基づいてＡＣＫ／ＮＡＫビットを割り当てることを含む。この割当は、特別なサブフレーム・コンフィギュレーションに依存しない。言い換えれば、ＡＣＫ／ＮＡＫビットは、特別なサブフレームがダウンリンク送信をサポートしているか否かに関わらず、各特別なサブフレームのために割り当てられる。この解決策は、ＵＥの任意の成分キャリアの特別なサブフレーム（単数または複数）コンフィギュレーションがダウンリンク送信をサポートしているか否かに関わらず、ＵＥの各成分キャリアの特別なサブフレーム（単数または複数）のために、１つのＡＣＫ／ＮＡＫビット（ＣＣのダウンリンク送信モードが、最大１つの伝送ブロックをサポートする場合）、または２つのＡＣＫ／ＮＡＫビット（ＣＣのダウンリンク送信モードが、最大２つの伝送ブロックをサポートする場合）を割り当てることを含みうる。この解決策はそれほど複雑ではないが、ダウンリンク送信のために使用されていないサブフレームのために、不必要なＡＣＫ／ＮＡＫビットをも割り当てうる。
【００６８】
本開示の別の態様は、特別なサブフレームがダウンリンク送信のために構成されている場合にのみ、特別なサブフレームにＡＣＫ／ＮＡＫビットを割り当てることを含む。さらに、ＵＥの特定の成分キャリアの特別なサブフレーム・コンフィギュレーションが、ダウンリンク送信をサポートする場合、ＡＣＫ／ＮＡＫビットが、特定の成分キャリアのために割り当てられうる。ＰＤＳＣＨ送信のないＤｗＰＴＳを用いるＣＣは、ディスカウントされ、ＡＣＫ／ＮＡＫビットが割り当てられない。この解決策は、ＡＣＫ／ＮＡＫビットをより効率的に割り当てる。このコンフィギュレーションがダウンリンク送信可能であるか否かに基づいて、ＡＣＫ／ＮＡＫビットを特別なサブフレームに割り当てることはまた、単一のキャリア・コンフィギュレーションにおいても適用されうる。
【００６９】
本開示の別の態様は、１つのＣＣの特別なサブフレーム・コンフィギュレーションのみが、ＰＤＳＣＨを伝送する、すなわち、ダウンリンク送信可能である場合、ＡＣＫ／ＮＡＫビットを、すべてのＣＣのためのすべての特別なサブフレームへ割り当てることを含む。あるいは、ＣＣが、ダウンリンク送信可能な特別なサブフレーム・コンフィギュレーションを含まない場合、いずれのＣＣのための特別なサブフレームにも、ＡＣＫ／ＮＡＫビットは割り当てられない。上記解決策はまた、キャリア・アグリゲーションのないコンフィギュレーション、すなわち、単一キャリア・コンフィギュレーションのために使用されうる。
【００７０】
本開示の別の態様では、特別なサブフレーム・コンフィギュレーションに基づいて、単一キャリア動作において、アップリンク・サブフレームに関連付けられた少なくとも１つのダウンリンク・サブフレームのために、ＡＣＫ／ＮＡＫフィードバックが提供されうる。マルチ・キャリア動作では、ＡＣＫ／ＮＡＫフィードバックが、一次ＣＣの少なくとも１つのダウンリンク・サブフレームと、二次ＣＣの少なくとも１つのダウンリンク・サブフレームとのために提供されうる。ＡＣＫ／ＮＡＫフィードバックは、一次ＣＣにおけるアップリンク制御チャネル（例えば、ＰＵＣＣＨ）で送信されうる。ＡＣＫ／ＮＡＫフィードバックは、アップリンク・データ・チャネル（例えばＰＤＳＣＨ）で送信されうる。アップリンク制御情報がＤＦＴ−Ｓ−ＯＦＤＭとしてフォーマットされる場合、ＤＦＴ−Ｓ−ＯＦＤＭフォーマットの符号化は、ＵＥのためのすべてのＣＣのＡＣＫ／ＮＡＫビットの総数に少なくとも部分的に基づきうる。ＤＦＴ−Ｓ−ＯＦＤＭ符号化は、ＰＵＣＣＨを送信しているアップリンク・サブフレームに関連付けられたダウンリンク・サブフレームの数に依存しうる。ＰＵＣＣＨの送信電力は、ＡＣＫ／ＮＡＫビットの割り当てられた数に、少なくとも部分的に基づきうる。
【００７１】
図１０は、本開示の１つの態様にしたがうＡＣＫ／ＮＡＫビット割当を示す。ブロック１００２に示されるように、例えばＵＥのようなデバイスは、時分割デュプレクス（ＴＤＤ）システムにおいて、少なくとも３つのアクノレッジメント／否定的アクノレッジメント（ＡＣＫ／ＮＡＫ）ビットをサポートするアップリンク制御フォーマットのコンフィギュレーションを受信する。ブロック１００４に示されるように、デバイスは、ＴＤＤコンフィギュレーションにおける特別なサブフレーム・コンフィギュレーションが、ダウンリンク・データ送信をサポートするか否かを判定する。ブロック１００６に示されるように、デバイスは、この判定に少なくとも部分的に基づいて、ＡＣＫ／ＮＡＫビットの数を割り当てる。例えば、ビットは、特別なサブフレーム・コンフィギュレーションがダウンリンク送信をサポートするか否かに関わらず割り当てられうる。別の例では、これらビットは、特別なサブフレーム・コンフィギュレーションがダウンリンク送信をサポートする場合にのみ割り当てられる。この割当は、マルチ・キャリア環境における各ＣＣおよび各ＵＥのためになされうる。これは、いずれかのＣＣが、ダウンリンク送信をサポートするコンフィギュレーションを含み、すべてのＣＣに、特別なサブフレームのためのＡＣＫ／ＮＡＫビットが割り当てられている場合、「すべてについて１」でありうる。ブロック１００８に示されるように、このデバイスは、この割当に少なくとも部分的に基づいて、アップリンク・サブフレームでＡＣＫ／ＮＡＫ情報を送信する。
【００７２】
１つの構成では、例えばＵＥ１２０のようなデバイスのような、無線通信のための装置は、アップリンク制御フォーマットのコンフィギュレーションを受信する手段と、特別なサブフレーム・コンフィギュレーションが、ダウンリンク・データ送信をサポートするか否かを判定する手段と、ＡＣＫ／ＮＡＫビットを割り当てる手段と、割り当てられたビットでＡＣＫ／ＮＡＫ情報を送信する手段とを含む。１つの態様では、ＵＥ１２０のための前述した手段は、前述した手段によって詳述された機能を実行するように構成されたアンテナ４５２、受信プロセッサ４５８、コントローラ／プロセッサ４８０、メモリ４８２、および／または、送信プロセッサ４６４でありうる。別の態様では、前述した手段は、前述した手段によって記載された機能を実行するように構成されたモジュールまたは任意の装置でありうる。
【００７３】
図１１は、例えば図４のＵＥ１２０のような、ＵＥのための装置１１００の設計を示す。この装置１１００は、ＴＤＤシステムにおいて少なくとも３つのＡＣＫ／ＮＡＫビットをサポートするアップリンク制御フォーマットのコンフィギュレーションを受信するモジュール１１０２を含む。装置１１００はまた、特別なサブフレーム・コンフィギュレーションが、ダウンリンク・データ送信をサポートするか否かを判定するモジュール１１０４を含む。この装置１１００は、この判定に少なくとも部分的に基づいて、ＡＣＫ／ＮＡＫビットの数を割り当てるモジュール１１０６を含む。この装置はまた、この割当に少なくとも部分的に基づいて、アップリンク・サブフレームでＡＣＫ／ＮＡＫ情報を送信するモジュール１１０８を含む。図１１におけるモジュールは、例えば、プロセッサ、電子デバイス／構成要素、ハードウェア・デバイス、電子部品、論理回路、メモリ、ソフトウェア・コード、ファームウェア・コード等、またはこれらの任意の組み合わせでありうる。
【００７４】
図１２は、本開示の１つの態様にしたがう、ＡＣＫ／ＮＡＫビット割当を示す。ブロック１２０２に示されるように、ｅノードＢのようなデバイスは、時分割デュプレクス（ＴＤＤ）システムにおいて少なくとも３つのアクノレッジメント／否定的アクノレッジメント（ＡＣＫ／ＮＡＫ）ビットをサポートする、アップリンク制御フォーマットのコンフィギュレーションを送信する。ブロック１２０４に示されるように、このデバイスは、特別なサブフレーム・コンフィギュレーションが、ダウンリンク・データ送信をサポートするか否かを判定する。ブロック１２０６に示されるように、デバイスは、この判定に少なくとも部分的に基づいて、ＡＣＫ／ＮＡＫビットの数を割り当てる。例えば、特別なサブフレーム・コンフィギュレーションが、ダウンリンク送信をサポートするか否かに関わらずビットが割り当てられうる。別の例では、特別なサブフレーム・コンフィギュレーションがダウンリンク送信をサポートする場合にのみビットが割り当てられる。この割当は、マルチ・キャリア環境における各ＣＣおよび各ＵＥのためになされうる。これは、いずれかのＣＣが、ダウンリンク送信をサポートするコンフィギュレーションを含み、すべてのＣＣに、特別なサブフレームのためのＡＣＫ／ＮＡＫビットが割り当てられている場合、「すべてについて１」でありうる。ブロック１２０８に示されるように、デバイスは、この割当に少なくとも部分的に基づいて、アップリンク・サブフレームでＡＣＫ／ＮＡＫ情報を受信する。
【００７５】
１つの構成では、例えばｅノードＢ１１０のようなデバイスである、無線通信のための装置は、アップリンク制御フォーマットのコンフィギュレーションを送信する手段と、特別なサブフレーム・コンフィギュレーションが、ダウンリンク・データ送信をサポートするか否かを判定する手段と、ＡＣＫ／ＮＡＫビットを割り当てる手段と、ＡＣＫ／ＮＡＫ情報を受信する手段とを含む。１つの態様では、ｅノードＢ１１０のための前述した手段は、前述された手段によって記載された機能を実行するように構成されたアンテナ４３４、受信プロセッサ４３８、コントローラ／プロセッサ４４０、メモリ４４２、送信プロセッサ４２０、および／または、スケジューラ４４４でありうる。別の態様では、前述した手段は、前述した手段によって記載された機能を実行するように構成されたモジュールまたは任意の装置でありうる。
【００７６】
図１３は、例えば、図４のｅノードＢ１１０のような、ｅノードＢのための装置１３００の設計を示す。装置１３００は、ＴＤＤシステムにおいて少なくとも３つのＡＣＫ／ＮＡＫビットをサポートするアップリンク制御フォーマットのコンフィギュレーションを送信するモジュール１３０２を含む。装置１３００はさらに、特別なサブフレーム・コンフィギュレーションがダウンリンク・データ送信をサポートするか否かを判定するモジュール１３０４を含む。装置１３００はさらに、この判定に少なくとも部分的に基づいて、ＡＣＫ／ＮＡＫビットの数を割り当てるモジュール１３０６を含む。この装置はまた、アップリンク・サブフレームにおける割当に少なくとも部分的に基づいて、ＡＣＫ／ＮＡＫ情報を受信するモジュール１３０８を含む。図１３におけるモジュールは、例えば、プロセッサ、電子デバイス／構成要素、ハードウェア・デバイス、論理回路、メモリ、ソフトウェア・コード、ファームウェア・コード等、またはこれらの任意の組み合わせでありうる。
【００７７】
当業者であればさらに、本明細書の開示に関連して記載されたさまざまな例示的な論理ブロック、モジュール、回路、およびアルゴリズム・ステップが、電子ハードウェア、ソフトウェア／ファームウェア、あるいはこれらの組み合わせとして実現されることを理解するであろう。ハードウェアとソフトウェア／ファームウェアとのこの相互置換性を明確に例示するために、例示的なさまざまな構成要素、ブロック、モジュール、回路、およびステップが、これらの機能の観点から一般に上述された。これら機能がハードウェアとしてまたはソフトウェア／ファームウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００７８】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００７９】
本明細書の開示に関連して説明された方法またはアルゴリズムのステップは、例えば、ハードウェアでダイレクトに、プロセッサによって実行されるソフトウェア・モジュールで、またはこれらの組み合せで実現されうる。ソフトウェア・モジュールは、例えばＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００８０】
１または複数の典型的な設計では、記載された機能は、ハードウェア、ソフトウェア／ファームウェア、あるいはそれらの任意の組み合わせによって実現されうる。ソフトウェア／ファームウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるようにディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、Ｂｌｕ−ｒａｙ（登録商標）ディスク（ｄｉｓｃ）を含む。ここで、ｄｉｓｋは通常、データを磁気的に再生し、ｄｉｓｃは、レーザを用いてデータを光学的に再生する。前述した組み合わせもまた、コンピュータ読取可能な媒体の範囲内に含まれるべきである。
【００８１】
本開示の上記記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
なお、以下に、出願当初の特許請求の範囲に記載された発明を付記する。
［Ｃ１］
無線通信の方法であって、
時分割デュプレクス（ＴＤＤ）システムにおいて少なくとも３つのアクノレッジメント／否定的アクノレッジメント（ＡＣＫ／ＮＡＫ）ビットをサポートする、アップリンク制御フォーマットのコンフィギュレーションを受信することと、
特別なサブフレーム・コンフィギュレーションが、ダウンリンク・データ送信をサポートするか否かを判定することと、
前記判定に少なくとも部分的に基づいて、ＡＣＫ／ＮＡＫビットの数を割り当てることと、
前記割り当てに少なくとも部分的に基づいて、アップリンク・サブフレームでＡＣＫ／ＮＡＫ情報を送信することと、
を備える方法。
［Ｃ２］
前記割り当てることは、特定のキャリアの特別なサブフレーム・コンフィギュレーションがダウンリンク送信をサポートする場合に、前記特定のキャリアの特別なサブフレームのために、少なくとも１つのＡＣＫ／ＮＡＫビットを割り当てることを備える、Ｃ１に記載の方法。
［Ｃ３］
前記割り当てることは、前記特別なサブフレーム・コンフィギュレーションが、ダウンリンク送信をサポートしない場合に、特別なサブフレームに、ゼロのＡＣＫ／ＮＡＫビットを割り当てることを備える、Ｃ１に記載の方法。
［Ｃ４］
前記ＡＣＫ／ＮＡＫ情報は、単一のキャリア・コンフィギュレーションにおいて、前記アップリンク・サブフレームに関連付けられた少なくとも１つのダウンリンク・サブフレームのためのフィードバックを提供する、Ｃ１に記載の方法。
［Ｃ５］
前記ＡＣＫ／ＮＡＫ情報は、一次成分キャリアの少なくとも１つのダウンリンク・サブフレームと、二次成分キャリアの少なくとも１つのダウンリンク・サブフレームとのフィードバックを提供する、Ｃ１に記載の方法。
［Ｃ６］
前記ＡＣＫ／ＮＡＫ情報は、前記一次成分キャリアにおけるアップリンク制御チャネルにおけるアップリンク送信を備える、Ｃ５に記載の方法。
［Ｃ７］
前記判定することと前記割り当てることとはおのおの、一次成分キャリアおよび二次成分キャリアについて実行される、Ｃ５に記載の方法。
［Ｃ８］
前記ＡＣＫ／ＮＡＫ情報は、アップリンク制御チャネルにおけるアップリンク送信を備える、Ｃ１に記載の方法。
［Ｃ９］
前記ＡＣＫ／ＮＡＫ情報は、アップリンク・データ・チャネルにおけるアップリンク送信を備える、Ｃ１に記載の方法。
［Ｃ１０］
アップリンク制御情報は、ＤＦＴ−Ｓ−ＯＦＤＭ（離散フーリエ変換拡散直交周波数分割多重）としてフォーマットされ、
ＤＦＴ−Ｓ−ＯＦＤＭフォーマットの符号化は、ユーザ機器のために構成されたすべての成分キャリアのＡＣＫ／ＮＡＫビットの総数に少なくとも部分的に基づく、Ｃ１に記載の方法。
［Ｃ１１］
前記符号化はさらに、ＰＵＣＣＨ（物理アップリンク制御チャネル）を送信するアップリンク・サブフレームに関連付けられたダウンリンク・サブフレームの数に依存する、Ｃ１０に記載の方法。
［Ｃ１２］
前記割り当てられたＡＣＫ／ＮＡＫビットの数に部分的に基づいて、ＰＵＣＣＨ（物理アップリンク制御チャネル）の送信電力を決定すること、をさらに備えるＣ１０に記載の方法。
［Ｃ１３］
無線通信のための装置であって、
時分割デュプレクス（ＴＤＤ）システムにおいて少なくとも３つのアクノレッジメント／否定的アクノレッジメント（ＡＣＫ／ＮＡＫ）ビットをサポートする、アップリンク制御フォーマットのコンフィギュレーションを受信する手段と、
特別なサブフレーム・コンフィギュレーションが、ダウンリンク・データ送信をサポートするか否かを判定する手段と、
前記判定に少なくとも部分的に基づいて、ＡＣＫ／ＮＡＫビットの数を割り当てる手段と、
前記割り当てに少なくとも部分的に基づいて、アップリンク・サブフレームでＡＣＫ／ＮＡＫ情報を送信する手段と、
を備える装置。
［Ｃ１４］
無線ネットワークにおける無線通信のためのコンピュータ・プログラム製品であって、
記録された非一時的なプログラム・コードを有する非一時的なコンピュータ読取可能な媒体を備え、前記非一時的なプログラム・コードは、
時分割デュプレクス（ＴＤＤ）システムにおいて少なくとも３つのアクノレッジメント／否定的アクノレッジメント（ＡＣＫ／ＮＡＫ）ビットをサポートする、アップリンク制御フォーマットのコンフィギュレーションを受信するためのプログラム・コードと、
特別なサブフレーム・コンフィギュレーションが、ダウンリンク・データ送信をサポートするか否かを判定するためのプログラム・コードと、
前記判定に少なくとも部分的に基づいて、ＡＣＫ／ＮＡＫビットの数を割り当てるためのプログラム・コードと、
前記割り当てに少なくとも部分的に基づいて、アップリンク・サブフレームでＡＣＫ／ＮＡＫ情報を送信するためのプログラム・コードと
を備える、コンピュータ・プログラム製品。
［Ｃ１５］
無線通信のための装置であって、
メモリと、
前記メモリに接続された少なくとも１つのプロセッサとを備え、
前記少なくとも１つのプロセッサは、
時分割デュプレクス（ＴＤＤ）システムにおいて少なくとも３つのアクノレッジメント／否定的アクノレッジメント（ＡＣＫ／ＮＡＫ）ビットをサポートする、アップリンク制御フォーマットのコンフィギュレーションを受信し、
特別なサブフレーム・コンフィギュレーションが、ダウンリンク・データ送信をサポートするか否かを判定し、
前記判定に少なくとも部分的に基づいて、ＡＣＫ／ＮＡＫビットの数を割り当て、
前記割り当てに少なくとも部分的に基づいて、アップリンク・サブフレームでＡＣＫ／ＮＡＫ情報を送信するように構成された、装置。
［Ｃ１６］
前記少なくとも１つのプロセッサはさらに、特定のキャリアの特別なサブフレーム・コンフィギュレーションがダウンリンク送信をサポートする場合に、前記特定のキャリアの特別なサブフレームのために、少なくとも１つのＡＣＫ／ＮＡＫビットを割り当てるように構成された、Ｃ１５に記載の装置。
［Ｃ１７］
前記少なくとも１つのプロセッサはさらに、前記特別なサブフレーム・コンフィギュレーションが、ダウンリンク送信をサポートしない場合に、特別なサブフレームに、ゼロのＡＣＫ／ＮＡＫビットを割り当てるように構成された、Ｃ１５に記載の装置。
［Ｃ１８］
前記ＡＣＫ／ＮＡＫ情報は、単一のキャリア・コンフィギュレーションにおいて、前記アップリンク・サブフレームに関連付けられた少なくとも１つのダウンリンク・サブフレームのためのフィードバックを提供する、Ｃ１５に記載の装置。
［Ｃ１９］
前記ＡＣＫ／ＮＡＫ情報は、一次成分キャリアの少なくとも１つのダウンリンク・サブフレームと、二次成分キャリアの少なくとも１つのダウンリンク・サブフレームとのフィードバックを提供する、Ｃ１５に記載の装置。
［Ｃ２０］
前記ＡＣＫ／ＮＡＫ情報は、前記一次成分キャリアにおけるアップリンク制御チャネルにおいてアップリンク送信を備える、Ｃ１９に記載の装置。
［Ｃ２１］
前記判定することと前記割り当てることとはおのおの、一次成分キャリアおよび二次成分キャリアについて実行される、Ｃ１９に記載の装置。
［Ｃ２２］
前記ＡＣＫ／ＮＡＫ情報は、アップリンク制御チャネルにおけるアップリンク送信を備える、Ｃ１５に記載の装置。
［Ｃ２３］
前記ＡＣＫ／ＮＡＫ情報は、アップリンク・データ・チャネルにおけるアップリンク送信を備える、Ｃ１５に記載の装置。
［Ｃ２４］
アップリンク制御情報は、ＤＦＴ−Ｓ−ＯＦＤＭ（離散フーリエ変換拡散直交周波数分割多重）としてフォーマットされ、
ＤＦＴ−Ｓ−ＯＦＤＭフォーマットの符号化は、ユーザ機器のために構成されたすべての成分キャリアのＡＣＫ／ＮＡＫビットの総数に少なくとも部分的に基づく、Ｃ１５に記載の装置。
［Ｃ２５］
前記符号化はさらに、ＰＵＣＣＨ（物理アップリンク制御チャネル）を送信するアップリンク・サブフレームに関連付けられたダウンリンク・サブフレームの数に依存する、Ｃ２４に記載の装置。
［Ｃ２６］
前記割り当てられたＡＣＫ／ＮＡＫビットの数に部分的に基づいて、ＰＵＣＣＨ（物理アップリンク制御チャネル）の送信電力を決定することをさらに備える、Ｃ２４に記載の装置。
［Ｃ２７］
無線通信の方法であって、
時分割デュプレクス（ＴＤＤ）システムにおいて少なくとも３つのアクノレッジメント／否定的アクノレッジメント（ＡＣＫ／ＮＡＫ）ビットをサポートする、アップリンク制御フォーマットのコンフィギュレーションを送信すること、
特別なサブフレーム・コンフィギュレーションが、ダウンリンク・データ送信をサポートするか否かを判定することと、
前記判定に少なくとも部分的に基づいて、ＡＣＫ／ＮＡＫビットの数を割り当てることと、
前記割り当てに少なくとも部分的に基づいて、アップリンク・サブフレームでＡＣＫ／ＮＡＫ情報を受信することと、
を備える方法。
［Ｃ２８］
前記割り当てることは、特定のキャリアの特別なサブフレーム・コンフィギュレーションがダウンリンク送信をサポートする場合に、前記特定のキャリアの特別なサブフレームのために、少なくとも１つのＡＣＫ／ＮＡＫビットを割り当てることを備える、Ｃ２７に記載の方法。
［Ｃ２９］
前記割り当てることは、前記特別なサブフレーム・コンフィギュレーションが、ダウンリンク送信をサポートしない場合に、特別なサブフレームに、ゼロのＡＣＫ／ＮＡＫビットを割り当てることを備える、Ｃ２７に記載の方法。
［Ｃ３０］
前記ＡＣＫ／ＮＡＫ情報は、単一のキャリア・コンフィギュレーションにおいて、前記アップリンク・サブフレームに関連付けられた少なくとも１つのダウンリンク・サブフレームのためのフィードバックを提供する、Ｃ２７に記載の方法。
［Ｃ３１］
前記ＡＣＫ／ＮＡＫ情報は、一次成分キャリアの少なくとも１つのダウンリンク・サブフレームと、二次成分キャリアの少なくとも１つのダウンリンク・サブフレームとのフィードバックを提供する、Ｃ２７に記載の方法。
［Ｃ３２］
前記ＡＣＫ／ＮＡＫ情報は、前記一次成分キャリアにおけるアップリンク制御チャネルにおいてアップリンク送信を備える、Ｃ３１に記載の方法。
［Ｃ３３］
前記判定することと前記割り当てることとはおのおの、一次成分キャリアおよび二次成分キャリアについて実行される、Ｃ３１に記載の方法。
［Ｃ３４］
前記ＡＣＫ／ＮＡＫ情報は、アップリンク制御チャネルにおけるアップリンク送信を備える、Ｃ２７に記載の方法。
［Ｃ３５］
前記ＡＣＫ／ＮＡＫ情報は、アップリンク・データ・チャネルにおけるアップリンク送信を備える、Ｃ２７に記載の方法。
［Ｃ３６］
アップリンク制御情報は、ＤＦＴ−Ｓ−ＯＦＤＭ（離散フーリエ変換拡散直交周波数分割多重）としてフォーマットされ、
ＤＦＴ−Ｓ−ＯＦＤＭフォーマットの符号化は、ユーザ機器のために構成されたすべての成分キャリアのＡＣＫ／ＮＡＫビットの総数に少なくとも部分的に基づく、Ｃ２７に記載の方法。
［Ｃ３７］
前記符号化はさらに、ＰＵＣＣＨ（物理アップリンク制御チャネル）を送信するアップリンク・サブフレームに関連付けられたダウンリンク・サブフレームの数に依存する、Ｃ３６に記載の方法。
［Ｃ３８］
前記割り当てられたＡＣＫ／ＮＡＫビットの数に部分的に基づいて、ＰＵＣＣＨ（物理アップリンク制御チャネル）の送信電力を決定すること、をさらに備えるＣ３６に記載の方法。
［Ｃ３９］
無線通信のための装置であって、
時分割デュプレクス（ＴＤＤ）システムにおいて少なくとも３つのアクノレッジメント／否定的アクノレッジメント（ＡＣＫ／ＮＡＫ）ビットをサポートする、アップリンク制御フォーマットのコンフィギュレーションを送信する手段と、
特別なサブフレーム・コンフィギュレーションが、ダウンリンク・データ送信をサポートするか否かを判定する手段と、
前記判定に少なくとも部分的に基づいて、ＡＣＫ／ＮＡＫビットの数を割り当てる手段と、
前記割り当てに少なくとも部分的に基づいて、アップリンク・サブフレームでＡＣＫ／ＮＡＫ情報を受信する手段と、
を備える装置。
［Ｃ４０］
無線ネットワークにおける無線通信のためのコンピュータ・プログラム製品であって、
記録された非一時的なプログラム・コードを有する非一時的なコンピュータ読取可能な媒体を備え、前記非一時的なプログラム・コードは、
時分割デュプレクス（ＴＤＤ）システムにおいて少なくとも３つのアクノレッジメント／否定的アクノレッジメント（ＡＣＫ／ＮＡＫ）ビットをサポートする、アップリンク制御フォーマットのコンフィギュレーションを送信するためのプログラム・コードと、
特別なサブフレーム・コンフィギュレーションが、ダウンリンク・データ送信をサポートするか否かを判定するためのプログラム・コードと、
前記判定に少なくとも部分的に基づいて、ＡＣＫ／ＮＡＫビットの数を割り当てるためのプログラム・コードと、
前記割り当てに少なくとも部分的に基づいて、アップリンク・サブフレームでＡＣＫ／ＮＡＫ情報を受信するためのプログラム・コードと
を備える、コンピュータ・プログラム製品。
［Ｃ４１］
無線通信のための装置であって、
メモリと、
前記メモリに接続された少なくとも１つのプロセッサとを備え、
前記少なくとも１つのプロセッサは、
時分割デュプレクス（ＴＤＤ）システムにおいて少なくとも３つのアクノレッジメント／否定的アクノレッジメント（ＡＣＫ／ＮＡＫ）ビットをサポートする、アップリンク制御フォーマットのコンフィギュレーションを送信し、
特別なサブフレーム・コンフィギュレーションが、ダウンリンク・データ送信をサポートするか否かを判定し、
前記判定に少なくとも部分的に基づいて、ＡＣＫ／ＮＡＫビットの数を割り当て、
前記割り当てに少なくとも部分的に基づいて、アップリンク・サブフレームでＡＣＫ／ＮＡＫ情報を受信するように構成された、装置。
［Ｃ４２］
前記少なくとも１つのプロセッサはさらに、特定のキャリアの特別なサブフレーム・コンフィギュレーションがダウンリンク送信をサポートする場合に、前記特定のキャリアの特別なサブフレームのために、少なくとも１つのＡＣＫ／ＮＡＫビットを割り当てるように構成された、Ｃ４１に記載の装置。
［Ｃ４３］
前記少なくとも１つのプロセッサはさらに、前記特別なサブフレーム・コンフィギュレーションが、ダウンリンク送信をサポートしない場合に、特別なサブフレームに、ゼロのＡＣＫ／ＮＡＫビットを割り当てるように構成された、Ｃ４１に記載の装置。
［Ｃ４４］
前記ＡＣＫ／ＮＡＫ情報は、単一のキャリア・コンフィギュレーションにおいて、前記アップリンク・サブフレームに関連付けられた少なくとも１つのダウンリンク・サブフレームのためのフィードバックを提供する、Ｃ４１に記載の装置。
［Ｃ４５］
前記ＡＣＫ／ＮＡＫ情報は、一次成分キャリアの少なくとも１つのダウンリンク・サブフレームと、二次成分キャリアの少なくとも１つのダウンリンク・サブフレームとのフィードバックを提供する、Ｃ４１に記載の装置。
［Ｃ４６］
前記ＡＣＫ／ＮＡＫ情報は、前記一次成分キャリアにおけるアップリンク制御チャネルにおいてアップリンク送信を備える、Ｃ４５に記載の装置。
［Ｃ４７］
前記判定することと前記割り当てることとはおのおの、一次成分キャリアおよび二次成分キャリアについて実行される、Ｃ４５に記載の装置。
［Ｃ４８］
前記ＡＣＫ／ＮＡＫ情報は、アップリンク制御チャネルにおけるアップリンク送信を備える、Ｃ４１に記載の装置。
［Ｃ４９］
前記ＡＣＫ／ＮＡＫ情報は、アップリンク・データ・チャネルにおけるアップリンク送信を備える、Ｃ４１に記載の装置。
［Ｃ５０］
アップリンク制御情報は、ＤＦＴ−Ｓ−ＯＦＤＭ（離散フーリエ変換拡散直交周波数分割多重）としてフォーマットされ、ＤＦＴ−Ｓ−ＯＦＤＭフォーマットの符号化は、ユーザ機器のために構成されたすべての成分キャリアのＡＣＫ／ＮＡＫビットの総数に少なくとも部分的に基づく、Ｃ４１に記載の装置。
［Ｃ５１］
前記符号化はさらに、ＰＵＣＣＨ（物理アップリンク制御チャネル）を送信するアップリンク・サブフレームに関連付けられたダウンリンク・サブフレームの数に依存する、Ｃ５０に記載の装置。
［Ｃ５２］
前記割り当てられたＡＣＫ／ＮＡＫビットの数に部分的に基づいて、ＰＵＣＣＨ（物理アップリンク制御チャネル）の送信電力を決定すること、をさらに備えるＣ５０に記載の装置。
【図１】
0005784743.tif 000003
【図２】
0005784743.tif 000004
【図３】
0005784743.tif 000005
【図４】
0005784743.tif 000006
【図５Ａ】
0005784743.tif 000007
【図５Ｂ】
0005784743.tif 000008
【図６】
0005784743.tif 000009
【図７】
0005784743.tif 000010
【図８】
0005784743.tif 000011
【図９】
0005784743.tif 000012
【図１０】
0005784743.tif 000013
【図１１】
0005784743.tif 000014
【図１２】
0005784743.tif 000015
【図１３】
0005784743.tif 000016